(57)【要約】【課題】撮像系、記録系からの映像信号をディスプレイ装置で忠実に再現するための補正（変換）を行うに際して、撮像者の意図する理想的なディスプレイ装置で再現した場合と同じになるように補正（変換）し、もって撮像者が意図した色に忠実で輝度の歪みのない映像をエンドユーザである視聴者に対して再現して表示することができる画像処理装置を提供する。【解決手段】ディスプレイ装置を直接又は間接に接続して映像情報を送信する手段と、接続されたディスプレイ装置の再現特性情報を取得又は選択する手段と、得られた再現特性情報を利用して、忠実な色の映像がディスプレイ装置で再現されるように映像情報を変換する手段と、変換された映像情報を送信部から出力させる制御を行う手段とを有する画像処理装置を提供する。また、輝度に歪みのない映像を再現するために同様の処理を行うための手段を有する画像処理装置を提供する。【選択図】図１Ａ
2008295034.tif 000002
【特許請求の範囲】
【請求項１】
ディスプレイ装置を直接又は間接に接続して映像情報を送信する送信部と、
接続されたディスプレイ装置の再現特性情報を取得又は選択する再現特性取得部と、
再現特性取得部によって得られた再現特性情報を利用して、忠実な色の映像が前記ディスプレイ装置で再現されるように、映像情報を変換する変換部と、
変換された映像情報を送信部から出力させる制御部と、
を有する画像処理装置。
【請求項２】
複数のディスプレイ装置を直接又は間接に接続して映像情報を送信する送信部と、
接続された複数のディスプレイ装置の各々の再現特性情報を取得又は選択する再現特性取得部と、
再現特性取得部によって得られた各々の再現特性情報を利用して、前記複数のディスプレイ装置の間で統一された色の映像が再現されるように、映像情報を変換する変換部と、
変換された映像情報を送信部から出力させる制御部と、
を有する画像処理装置。
【請求項３】
ディスプレイ装置を直接又は間接に接続して映像情報を送信する送信部と、
接続されたディスプレイ装置の再現特性情報を取得又は選択する再現特性取得部と、
再現特性取得部によって得られた再現特性情報を利用して、輝度に歪みのない映像が前記ディスプレイ装置で再現されるように、映像情報を変換する変換部と、
変換された映像情報を送信部から出力させる制御部と、
を有する画像処理装置。
【請求項４】
ディスプレイ装置の色度座標を示す色度座標値データを保存する保存部と、
ディスプレイ装置を直接又は間接に接続して映像情報を送信する送信部と、
色度座標値が既知である映像情報を保持する映像情報保持部と、
保存部に保存されているディスプレイ装置の色度座標値データから、送信部に直接又は間接に接続されたディスプレイ装置に対応するデータを選択してこれを利用し、映像情報保持部にて保持された映像情報を前記ディスプレイ装置に対応した色度座標に変換する色度座標変換部と、
変換された映像情報を送信部から送信させる色度座標制御部と、
を有する画像処理装置。
【請求項５】
送信部はディスプレイ装置に直接又は間接に接続して映像情報を送信するための送信手段を複数有し、
色度座標変換部は、複数のディスプレイ装置に対応した色度座標の変換をする色度座標変換手段を複数有し、
色度座標制御部は、複数の色度座標変換手段にて変換される映像情報を対応するディスプレイ装置に対して同時に送信手段から送信させるように制御する色度座標同時制御手段を有する請求項４に記載の画像処理装置。
【請求項６】
ディスプレイ装置のガンマ特性を示すガンマデータを保存するガンマデータ保存部と、
ディスプレイ装置を直接又は間接に接続して映像情報を送信する送信部と、
ガンマ特性が既知である映像情報を保持する映像情報保持部と、
ガンマデータ保存部に保存されているディスプレイ装置のガンマデータから、送信部に直接又は間接に接続されたディスプレイ装置に対応するデータを選択してこれを利用し、映像情報保持部にて保持された映像情報を前記ディスプレイ装置に対応したガンマ特性に変換するガンマ変換部と、
変換された映像情報を送信部から送信させるガンマ制御部と、
を有する画像処理装置。
【請求項７】
送信部はディスプレイ装置に直接又は間接に接続して映像情報を送信するための送信手段を複数有し、
ガンマ変換部は、複数のディスプレイ装置に対応したガンマ特性の変換をするガンマ変換手段を複数有し、
ガンマ制御部は、複数のガンマ変換手段にて変換される映像情報を対応するディスプレイ装置に対して同時に送信手段から送信させるように制御するガンマ同時制御手段を有する請求項６に記載の画像処理装置。
【請求項８】
ディスプレイ装置の色度座標を示す色度座標値データを保存する色度座標値データ保存ステップと、
ディスプレイ装置を直接又は間接に接続する第一送信ステップと、
色度座標値データ保存ステップにて保存されたディスプレイ装置の色度座標値データから第一送信ステップにて接続されたディスプレイ装置に対応するデータを選択する選択ステップと、
選択ステップにて選択された色度座標値データを利用して、色度座標値が既知である映像情報を、第一送信ステップにて接続されたディスプレイ装置に対応した色度座標に変換する色度座標変換ステップと、
色度座標変換ステップにて変換された映像情報を送信させる色度座標制御ステップと、
色度座標制御ステップにての制御に従い映像情報を送信する第二送信ステップと、
を有する画像処理方法。
【請求項９】
第二送信ステップにおける送信は、複数のディスプレイ装置を直接又は間接に接続してこれらに映像情報を送信する処理であり、
色度座標変換ステップにおける変換は、複数のディスプレイ装置に対応した色度座標の変換をする処理であり、
色度座標制御ステップにおける処理は、前記色度座標変換ステップにて変換された複数のディスプレイ装置に対応した映像情報を、対応するディスプレイ装置に対して同時に送信させるように制御する処理である、
請求項８に記載の画像処理方法。
【請求項１０】
ディスプレイ装置のガンマ特性を示すガンマデータを保存するガンマデータ保存ステップと、
ディスプレイ装置を直接又は間接に接続する第一送信ステップと、
ガンマデータ保存ステップにて保存されたディスプレイ装置のガンマデータから第一送信ステップにて接続されたディスプレイ装置に対応するデータを選択する選択ステップと、
選択ステップにて選択されたガンマデータを利用して、ガンマ特性が既知である映像情報を、第一送信ステップにて接続されたディスプレイ装置に対応したガンマ特性に変換するガンマ変換ステップと、
ガンマ変換ステップにて変換された映像情報を送信させるガンマ制御ステップと、
ガンマ制御ステップにての制御に従い映像情報を送信する第二送信ステップと、
を有する画像処理方法。
【請求項１１】
第二送信ステップにおける送信は、複数のディスプレイ装置を直接又は間接に接続してこれらに映像情報を送信する処理であり、
ガンマ変換ステップにおける変換は、複数のディスプレイ装置に対応したガンマ特性の変換をする処理であり、
ガンマ制御ステップにおける処理は、前記ガンマ変換ステップにて変換された複数のディスプレイ装置に対応した映像情報を、対応するディスプレイ装置に対して同時に送信させるように制御する処理である、
請求項１０に記載の画像処理方法。
【請求項１２】
コンピュータを
ディスプレイ装置を直接または間接に接続して映像情報を送信する送信部と、
接続されたディスプレイ装置の再現特性情報を取得又は選択する再現特性取得部と、
再現特性取得部によって得られた再現特性情報を利用して、忠実な色の映像が前記ディスプレイ装置で再現されるように、映像情報を変換する変換部と、
変換された映像情報を送信部から出力させる制御部と
して機能させるための画像処理プログラム。
【請求項１３】
コンピュータを
複数のディスプレイ装置を直接又は間接に接続して映像情報を送信する送信部と、
接続された複数のディスプレイ装置の各々の再現特性情報を利用して、前記複数のディスプレイ装置の間で統一された色の映像が再現されるように、映像情報を変換する変換部と、
変換された映像情報を送信部から出力させる制御部と
して機能させるための画像処理プログラム。
【請求項１４】
コンピュータを
ディスプレイ装置を直接又は間接に接続して映像情報を送信する送信部と、
接続されたディスプレイ装置の再現特性情報を取得又は選択する再現特性取得部と、
再現特性取得部によって得られた再現特性情報を利用して、輝度に歪みのない映像が前記ディスプレイ装置で再現されるように、映像情報を変換する変換部と、
変換された映像情報を送信部から出力させる制御部と
して機能させるための画像処理プログラム。
【発明の詳細な説明】
【技術分野】
【０００１】
本発明は、画像処理装置及び画像処理方法に関し、特に、映像情報を画像処理装置に直接又は間接に接続されたディスプレイ装置に対応した色度座標やガンマ特性に変換してそのディスプレイ装置に送信する制御を行う画像処理装置及び画像処理方法に関する。
【背景技術】
【０００２】
ＡＶ（Ａｕｄｉｏ‐Ｖｉｓｕａｌ）機器は、一般に（１）撮像系、（２）記録系、（３）表示系の三つで構成され、複数の異なる色再現領域に対応した撮像特性を有する映像信号に対応した色再現を行って受像機側のディスプレイなどに表示する処理を行う。その際、デジタル処理技術の発達などに伴い、記録系については、撮像系が出力する映像信号に対しほぼ忠実に映像を記録することができるようになっている。一方、表示系においては、ディスプレイ装置の色の再現特性が装置ごとに異なっているため、撮像系又は記録系から出力される映像信号に対してディスプレイ装置において映像を忠実に再現するために、当該映像信号をディスプレイ装置の再現特性に対応させるべく変換を行う必要がある（かかる一般的技術については、例えば非特許文献１参照）。映像信号をディスプレイ装置の再現特性に対応させるべく変換を行う技術としては、例えば、入力された映像信号に対してディスプレイ装置側が適宜これを測定して補正を行うことにより、ディスプレイ装置の色再現領域に対応した表示を行うためのカラーディスプレイ装置が知られている（特許文献１参照）。この装置を用いた変換方法によれば、ディスプレイ装置にＲＧＢ信号が入力されると、ディスプレイ装置は逆補正回路を用いて特定のカメラ信号を色変換マトリクス演算（入力と出力のＲＧＢ蛍光体及びＷの違いを補正するマトリクス演算）によりリニアなＲＧＢ信号に変換（線形変換）し、さらに演算されたＲＧＢＷ信号を補正回路を用いて表示デバイス（ＣＲＴ（Ｃａｔｈｏｄｅ  Ｒａｙ  Ｔｕｂｅ）、液晶ディスプレイ、プラズマディスプレイなど）の色度座標値の特性やガンマ特性に応じて補正して表示するように構成されている。このように、従来は、（１）撮像装置で撮影された色空間（色を数値の組合せにより表現する空間）を示すＲＧＢ信号から標準色空間（撮像装置やディスプレイ装置の特性とは独立に定められた、どの装置でも再現できる色の色空間。このため一般には撮像装置などの特性で定まる色空間よりも範囲が狭い）への変換と、（２）標準色空間を示すＲＧＢ信号からディスプレイ装置で表示するための変換という、二回の色変換が行われるのが一般的であった。
【非特許文献１】大石巖他編集、ディスプレイの基礎、共立出版、２００１年
【特許文献１】特開平４‐２９１５９１号公報
【発明の開示】
【発明が解決しようとする課題】
【０００３】
しかし、かかる従来の方法の場合、撮像装置のもつ広い色空間から一般により範囲の狭いディスプレイの色空間へ変換の際に、ディスプレイの色空間に属さない色は他の似た色に代替して変換される。この際、ディスプレイ装置で変換される色の色域がまちまちに変換されるため、撮像者が意図した色（ホワイトバランスも含め）を忠実に再現できないという問題があった。さらに、ＲＡＷデータをカメラから送信して、ディスプレイ側でそれを補正するシステムを取り入れたとしても、例えばカメラのホワイトバランス、アイリスは撮影環境によって時々刻々変化し、また、明るさ等によっても各種の細かい設定環境が常に変化するものであるから、撮像側から送られてくる映像信号に示される撮像側の特性は送信中にも変化する可能性があり、それを処理するシステムをＴＶ側に入れるのは困難である。しかし、特許文献１の従来のシステムでは、補正を行うためのパラメータが予めディスプレイ装置自身に組み込まれているため、かかる特性の変化に対応して映像を忠実に再現する対応させるための補正をディスプレイ装置が行うことが事実上不可能であった。
また、ディスプレイの色空間に属さない色は他の似た色に代替して変換され、この際に、ディスプレイ装置で変換される色の色域がまちまちに変換される（ホワイトバランスも含め）ことは、撮像装置で撮像した映像を再現する場合に限られず、コンピュータ装置で生成したコンピュータグラフィックスを再現する場合などにおいても同様であり、画像生成者が意図した色を忠実に再現できないという問題もあった。
【０００４】
そこで、本発明では、ディスプレイが持っている既知の色度座標値とガンマ特性を利用することにより、映像情報の変換を、映像の送信側で行い、忠実な色の再現を行えるようにすることを目的としている。
【０００５】
即ち、本発明の解決すべき課題は、撮像（画像生成）系、記録系からの映像信号をディスプレイ装置で忠実に再現するための補正（変換）を行うに際して、撮像者（画像生成者）の意図する理想的なディスプレイ装置（撮像装置（画像生成装置）が撮影した映像情報に含まれる色度座標値又はガンマ特性と同じ色度座標値又はガンマ特性を有するディスプレイ装置を言う。即ち、撮像装置が撮影したなどの映像情報に含まれる色度座標値などを何ら変換することなく表示するだけで元の映像の色などを忠実に再現できるディスプレイ装置をいう。以下同じ。）で再現した場合と同じになるように補正（変換）し、もって撮像者（画像生成者）が意図した色に忠実で輝度の歪みのない映像をエンドユーザである視聴者に対して再現して表示することができる画像処理装置を提供することにある。
【課題を解決するための手段】
【０００６】
以上の課題を解決するため、第一の発明は、ディスプレイ装置を直接又は間接に接続して映像情報を送信する送信部と、接続されたディスプレイ装置の再現特性情報を取得又は選択する再現特性取得部と、再現特性取得部によって得られた再現特性情報を利用して、忠実な色の映像が前記ディスプレイ装置で再現されるように、映像情報を変換する変換部と、変換された映像情報を送信部から出力させる制御部とを有する画像処理装置を提供する。
【０００７】
また、第二の発明は、複数のディスプレイ装置を直接又は間接に接続して映像情報を送信する送信部と、接続された複数のディスプレイ装置の各々の再現特性情報を取得又は選択する再現特性取得部と、再現特性取得部によって得られた各々の再現特性情報を利用して、前記複数のディスプレイ装置の間で統一された色の映像が再現されるように、映像情報を変換する変換部と、変換された映像情報を送信部から出力させる制御部と、
を有する画像処理装置を提供する。
【０００８】
また、第三の発明は、ディスプレイ装置を直接又は間接に接続して映像情報を送信する送信部と、接続されたディスプレイ装置の再現特性情報を取得又は選択する再現特性取得部と、再現特性取得部によって得られた再現特性情報を利用して、輝度に歪みのない映像が前記ディスプレイ装置で再現されるように、映像情報を変換する変換部と、変換された映像情報を送信部から出力させる制御部とを有する画像処理装置を提供する。
【０００９】
また、第四の発明は、ディスプレイ装置の色度座標を示す色度座標値データを保存する保存部と、ディスプレイ装置を直接又は間接に接続して映像情報を送信する送信部と、色度座標値が既知である映像情報を保持する映像情報保持部と、保存部に保存されているディスプレイ装置の色度座標値データから、送信部に直接又は間接に接続されたディスプレイ装置に対応するデータを選択してこれを利用し、映像情報保持部にて保持された映像情報を前記ディスプレイ装置に対応した色度座標に変換する色度座標変換部と、変換された映像情報を送信部から送信させる色度座標制御部とを有する画像処理装置を提供する。
また、第五の発明は、第四の発明を基礎として、送信部が直接又は間接に接続して映像情報をディスプレイ装置に送信するための送信手段を複数有し、色度座標変換部は、複数のディスプレイ装置に対応した色度座標の変換をする色度座標変換手段を複数有し、色度座標制御部は、複数の色度座標変換手段にて変換される映像情報を対応するディスプレイ装置に対して同時に送信手段から送信させるように制御する色度座標同時制御手段を有する画像処理装置を提供する。
【００１０】
また、第六の発明は、ディスプレイ装置のガンマ特性を示すガンマデータを一以上保存するガンマデータ保存部と、ディスプレイ装置を直接又は間接に接続して映像情報を送信する送信部と、ガンマ特性が既知である映像情報を保持する映像情報保持部と、ガンマデータ保存部に保存されているディスプレイ装置のガンマデータから、送信部に直接又は間接に接続されたディスプレイ装置に対応するデータを選択してこれを利用し、映像情報保持部にて保持された映像情報を前記ディスプレイ装置に対応したガンマ特性に変換するガンマ変換部と、変換された映像情報を送信部から送信させるガンマ制御部とを有する画像処理装置を提供する。
また、第七の発明は、第六の発明を基礎として、送信部が直接又は間接に接続して映像情報をディスプレイ装置に送信するための送信手段を複数有し、ガンマ変換部は、複数のディスプレイ装置に対応したガンマ特性の変換をするガンマ変換手段を複数有し、ガンマ制御部は、複数のガンマ変換手段にて変換される映像情報を対応するディスプレイ装置に対して同時に送信手段から送信させるように制御するガンマ同時制御手段を有する画像処理装置を提供する。
【００１１】
また、第八の発明は、ディスプレイ装置の色度座標を示す色度座標値データを保存する色度座標値データ保存ステップと、ディスプレイ装置を直接又は間接に接続する第一送信ステップと、色度座標値データ保存ステップにて保存されたディスプレイ装置の色度座標値データから第一送信ステップにて接続されたディスプレイ装置に対応するデータを選択する選択ステップと、選択ステップにて選択された色度座標値データを利用して、色度座標値が既知である映像情報を、第一送信ステップにて接続されたディスプレイ装置に対応した色度座標に変換する色度座標変換ステップと、色度座標変換ステップにて変換された映像情報を送信させる色度座標制御ステップと、色度座標制御ステップにての制御に従い映像情報を送信する第二送信ステップとを有する画像処理方法を提供する。
また、第九の発明は、第八の発明を基礎として、第二送信ステップにおける送信が、複数のディスプレイ装置を直接又は間接に接続してこれらに映像情報を送信する処理であり、色度座標変換ステップにおける変換は、複数のディスプレイ装置に対応した色度座標の変換をする処理であり、色度座標制御ステップにおける処理は、前記色度座標変換ステップにて変換された複数のディスプレイ装置に対応した映像情報を、対応するディスプレイ装置に対して同時に送信させるように制御する処理である画像処理方法を提供する。
【００１２】
また、第十の発明は、ディスプレイ装置のガンマ特性を示すガンマデータを一以上保存するガンマデータ保存ステップと、ディスプレイ装置を直接又は間接に接続する第一送信ステップと、ガンマデータ保存ステップにて保存されたディスプレイ装置のガンマデータから第一送信ステップにて接続されたディスプレイ装置に対応するデータを選択する選択ステップと、選択ステップにて選択されたガンマデータを利用して、ガンマ特性が既知である映像情報を、第一送信ステップにて接続されたディスプレイ装置に対応したガンマ特性に変換するガンマ変換ステップと、ガンマ変換ステップにて変換された映像情報を送信させるガンマ制御ステップと、ガンマ制御ステップにての制御に従い映像情報を送信する第二送信ステップとを有する画像処理方法を提供する。
また、第十一の発明は、第十の発明を基礎として、第二送信ステップにおける送信が、複数のディスプレイ装置を直接又は間接に接続してこれらに映像情報を送信する処理であり、ガンマ変換ステップにおける変換は、複数のディスプレイ装置に対応したガンマ特性の変換をする処理であり、ガンマ制御ステップにおける処理は、前記ガンマ変換ステップにて変換された複数のディスプレイ装置に対応した映像情報を、対応するディスプレイ装置に対して同時に送信させるように制御する処理である画像処理方法を提供する。
【００１３】
また、第十二の発明は、コンピュータを、ディスプレイ装置を直接または間接に接続して映像情報を送信する送信部と、接続されたディスプレイ装置の再現特性情報を取得又は選択する再現特性取得部と、再現特性取得部によって得られた再現特性情報を利用して、忠実な色の映像が前記ディスプレイ装置で再現されるように、映像情報を変換する変換部と、変換された映像情報を送信部から出力させる制御部として機能させるための画像処理プログラムを提供する。
また、第十三の発明は、コンピュータを、複数のディスプレイ装置を直接又は間接に接続して映像情報を送信する送信部と、接続された複数のディスプレイ装置の各々の再現特性情報を利用して、前記複数のディスプレイ装置の間で統一された色の映像が再現されるように、映像情報を変換する変換部と、変換された映像情報を送信部から出力させる制御部として機能させるための画像処理プログラムを提供する。
また、第十四の発明は、コンピュータを、ディスプレイ装置を直接又は間接に接続して映像情報を送信する送信部と、接続されたディスプレイ装置の再現特性情報を取得又は選択する再現特性取得部と、再現特性取得部によって得られた再現特性情報を利用して、輝度に歪みのない映像が前記ディスプレイ装置で再現されるように、映像情報を変換する変換部と、変換された映像情報を送信部から出力させる制御部として機能させるための画像処理プログラムを提供する。
【発明の効果】
【００１４】
本発明により、撮像（画像生成）系、記録系からの映像信号をディスプレイ装置で忠実に再現するための補正（変換）を行うに際して、撮像者（画像生成者）の意図する理想的なディスプレイ装置で再現した場合と同じになるように補正（変換）し、もって撮像者（画像生成者）が意図した色に忠実で輝度の歪みのない映像をエンドユーザである視聴者に対して再現して表示することができる画像処理装置を提供するが可能となる。
【発明を実施するための最良の形態】
【００１５】
以下に、本発明の実施例を説明する。実施例と請求項の相互の関係は以下のとおりである。実施例１は主に請求項１、請求項４、請求項８、請求項１２などに関し、実施例２は主に請求項２、請求項５、請求項９、請求項１３などに関し、実施例３は主に請求項３、請求項６、請求項１０、請求項１２、請求項１４などに関し、実施例４は主に請求項７、請求項１１などに関し、実施例５は主に請求項１、請求項２、請求項３、請求項４、請求項１２、請求項１３、請求項１４などに関する。なお、本発明はこれら実施例に何ら限定されるものではなく、その要旨を逸脱しない範囲において、種々なる態様で実施しうる。
【実施例１】
【００１６】
<概要>
本実施例の画像処理装置は、ディスプレイ装置に直接又は間接に接続され、ディスプレイ装置の再現特性情報を取得又は選択し、得られた再現特性情報を利用して忠実な色の映像がディスプレイ装置で再現されるように映像情報を変換して出力させる制御を行う手段を有する点に特徴がある。
また、本実施例の画像処理装置には、ディスプレイ装置に直接又は間接に接続され、ディスプレイ装置の色度座標値データを保存する手段を有するとともに、保存されたデータからディスプレイ装置に対応するデータを選択してこれを利用し、映像情報を当該ディスプレイ装置に対応する色度座標に変換して、変換された映像情報を送信させる制御を行う手段を有するものも含まれる。これも、忠実な色の映像がディスプレイ装置で再現されるように映像情報を変換して出力させる制御を行うことを可能にした点に特徴を有する。
このように、いずれも、これらの手段によって撮像者が意図した色の映像をエンドユーザである視聴者に対して意図どおり忠実に再現して表示することができるようにしたことに特徴を有する装置である。なお、本明細書で撮像者の意図した色というのは、もちろん撮像者の主観的な意図ではなく、撮像装置で取得された映像情報に対応した色、換言すれば理想的なディスプレイ装置で再現される色を意味する。
【００１７】
図１Ａ、図１Ｂ及び図１Ｃは、本実施例の画像処理装置を含む画像処理システムの概要を示す概念図である。ここでいう画像処理システムは、画像処理のための変換（補正）・制御機能のほか、撮像（画像生成）機能、記録機能、表示機能のすべてを含み得、複数の異なる色再現領域に対応した撮像特性を有する映像信号に対応した色再現を行って表示する処理を行うことが可能なシステムを指す。図１Ａに示すように、画像処理システム０１００は、画像処理装置（撮像装置を兼ねる。本図の例ではビデオカメラ）０１０１と、ディスプレイ装置（本図の例ではテレビジョン装置）０１０３とから構成されている。これらはインターフェイス０１０４で接続される。この場合、撮像者がこの撮像装置を用いて被写体０１０５を撮影する際に、この被写体の色を、理想的なディスプレイ装置において例えば花弁は白の純色、茎葉は緑の純色で再現されるように意図して撮影し、撮像装置が当該映像情報を送出する。そこで、ディスプレイ装置の再現特性がかかる理想的なディスプレイ装置のそれと一致していれば、当該ディスプレイ装置において被写体の映像は、撮像者の意図どおり、花弁は白の純色、茎葉は緑の純色で再現される。しかし、実際には、ディスプレイ装置の再現特性は理想的なディスプレイ装置の再現特性とは異なっているため、撮像装置から送出された映像情報に対し何ら補正（変換）を加えることなく表示した場合、撮像者の意図とは微妙に色（明るさ、色合いなど）の異なる映像が表示されてしまう。そこで、本システムでは、画像処理装置（撮像装置）の出力する映像が撮像者の意図どおり忠実に再現されて表示されるよう、映像情報の補正を行ってディスプレイ装置に送信する制御を行う。即ち、本実施例では、かかる映像を忠実な色で再現するための補正及び送信制御を行う機能を有する画像処理装置を提供することに目的がある。ここで、「忠実な色」とは、上の説明から明らかなように、撮像装置から送信された映像情報に対し、何らの補正を行うことなく理想的なディスプレイ装置で表示した場合に表示される色と同じ色をいう。平たく言えば、撮像者が撮影した意図どおりの色を意味する。
【００１８】
かかる観点から、本実施例の画像処理装置は、図１Ａに示したような、画像処理機能に加え撮像機能を有するものが典型的な例である。また、撮像時における撮像装置の色度座標値などの特性を保持する機能を備えた記録処理装置があれば、図１Ｂに示すような、画像処理装置（撮像装置）０１１１が記録処理装置０１１２を介してディスプレイ装置０１１３に間接的に接続される構成をとることもできる。同様に、図１Ｃに示すような、画像処理装置（撮像装置）０１２１が画像加工処理装置（記録処理装置を含む）０１２２を介してディスプレイ装置０１２３に間接的に接続される構成をとることもできる。
このように、画像処理装置は、かかる忠実な色の映像の再現のための補正及び送信制御を行う機能を備えることは必須であるものの、撮像機能、記録機能は必須ではなく、これらの機能の全部又は一部を有していても有していなくてもよいということになる。
【００１９】
図２は、本実施例の画像処理装置を含む他の例の画像処理システムの概要を示す概念図である。例えば図２（ａ）に示すように、画像処理装置０２０１が画像処理機能に加えて記録機能も有する一方で撮像機能は有しないものであり、かかる画像処理装置が撮像装置０２０２及びディスプレイ装置０２０３とそれぞれ直接接続されているものであってもよい。また、（ｂ）に示すように、画像処理装置０２１１が撮像機能、記録機能とも有さず画像処理機能（変換・制御）のみを有し、撮像装置０２１２から送信された映像情報をディスプレイ装置０２１３に送信するとともに、当該映像情報を記録装置０２１６に送信して記録させるように構成されていてもよい。
【００２０】
<構成>
（全般）
図３Ａは、本実施例の画像処理装置の機能ブロックの一例を示す。本図に示す「画像処理装置」０３００は、「送信部」０３０１と、「再現特性取得部」０３０２と、「変換部」０３０３と、「制御部」０３０４とを有する。
【００２１】
（送信部）
「送信部」は、ディスプレイ装置を直接又は間接に接続して映像情報を送信するように構成されている。即ち、送信部の第一の機能は、インターフェイスを介してディスプレイ装置を画像処理装置自身に接続する機能である。これは、ディスプレイ装置の再現特性に合わせて変換した映像情報を当該ディスプレイ装置に送信することを可能にするための動作である（なお、既述のように、画像処理装置が、ディスプレイ装置からインターフェイスを介して直接色度座標を取得して保存する場合は、上記（１）の処理に先立ち画像処理装置がディスプレイ装置をいったん接続する必要がある）。
なお、「直接又は間接に」接続するとは、画像処理装置とディスプレイ装置とがインターフェイスで直接接続されていてもよいし、無線等で相互接続されてもよいし、両装置の間に他の装置‐例えば図１Ｂで示したような記録処理装置や図１Ｃで示したような画像加工処理装置‐を介在させて間接的に接続されていてもよいという意味である。また、接続されるディスプレイ装置の数は、図１Ａなどに示した例のように単数であってもよいし、複数であってもよい（接続されるディスプレイ装置が複数の場合については、別の実施例にて後述する）。接続するためのインターフェイスの種類にも特に限定はない。
【００２２】
送信部の第二の機能は、当該接続されたディスプレイ装置に対して映像情報を送信する機能である。映像情報を送信するためのインターフェイスの種類には特に限定はない。なお、図１Ａなどでは、画像処理装置と接続された撮像装置から画像処理装置に対して映像情報を送信する場合の送信手段についても示したが、この映像情報を受信する際の撮像装置との間のインターフェイスの種類についても同様に特に限定はない。また、撮像装置と画像処理装置の接続を仲介するインターフェイスと、画像処理装置とディスプレイ装置の接続を仲介するインターフェイスが同じ種類である必要もない。
【００２３】
（再現特性取得部）
「再現特性取得部」は、接続されたディスプレイ装置の再現特性情報を取得又は選択するように構成されている。本発明において「再現特性情報」とは、ディスプレイ装置の再現特性を示す情報をいい、本実施例において「再現特性」とは、ディスプレイ装置で映像を表示する際に、ある特定の色が色空間においてどのように表現されるかを数値データで示した特徴をいう。例えば、この再現特性は、色度座標値として示される。
「色度座標」は、色空間における色の占める座標位置を示したものであり、一般に色度図によって示される。色度座標の代表例はＲＧＢＷ色空間に対応する「ＲＧＢＷ色度座標」であり、これは、Ｒ（Ｒｅｄ）、Ｇ（Ｇｒｅｅｎ）、Ｂ（Ｂｌｕｅ）及びＷ（Ｗｈｉｔｅ）が色空間において占める座標位置を示したものである。そして、Ｒ、Ｇ、Ｂ、Ｗの各純色を示す座標位置の違いを見ることによってそのディスプレイの再現特性の違いを数値的に知ることができ、この違いに基づいて映像を忠実な色で再現するための補正が可能となるわけである。以下では、色度座標がＲＧＢＷ色度座標である場合の例で説明するが、本実施例で利用可能な色度座標は、これに限定されず、例えば、コンピュータで画像を描く場合に利用されるＨＳＢ（Ｈｕｅ、Ｓａｔｕｒａｔｉｏｎ、Ｂｒｉｇｈｔｎｅｓｓ）色空間や放送用に利用されるＹＣｂＣｒ（Ｙは明るさ、Ｃｂは青の差分信号、Ｃｒは赤の差分信号を示す）色空間に対応する色度座標などであってもよい。
【００２４】
再現特性取得部がこのディスプレイ装置の再現特性情報の取得を行うに際しては、既述のように、インターフェイスを介してディスプレイ装置を接続した後に当該ディスプレイ装置から再現特性情報を取得してもよいし、ディスプレイ装置以外の装置からインターフェイスを介して再現特性情報を取得してもよい。また、再現特性情報が複数存在する場合に、取得の方法が上のどちらかに統一されている必要はなく、両者が混在していてもよい。
なお、「取得」とは、上に示したような要領でディスプレイ装置から直接または間接にインターフェイスを介して再現特性情報を画像処理装置のメインメモリに格納することをいい、「選択」とは、既に画像処理装置のメインメモリまたは記憶装置に記憶されている再現特性情報（単数であっても複数であってもよい）の中から全部または一部を選択してメインメモリに格納することをいう。
【００２５】
（変換部）
「変換部」は、再現特性取得部によって得られた再現特性情報を利用して、忠実な色の映像が前記ディスプレイ装置で再現されるように、映像情報を変換するように構成されている。
「忠実な色」とは、既述のように、撮像装置から送信された映像情報に対し、何らの補正を行うことなく理想的なディスプレイ装置で表示した場合に表示される色と同じ色をいう。実際のディスプレイ装置は、撮像装置から送信された映像情報に含まれる特性とは異なる再現特性を有していることから、映像情報に含まれる再現特性情報が示す数値データと、ディスプレイ装置の再現特性情報が示す数値データとを利用して、前者が後者に一致した数値となるように映像情報を変換する。この変換により、変換後の映像情報をディスプレイ装置で表示したときに、理想的なディスプレイ装置で映像情報の変換なしに表示した場合と同じ色の映像を表示することができる。換言すれば、この変換により、撮像者の意図どおりの忠実な色の映像をディスプレイ装置で再現することが可能となる。
かかる変換の具体例については、より具体的な実施例である色度座標変換部を有する画像処理装置の例の中で後述する。
【００２６】
（制御部）
「制御部」は、変換された映像情報を送信部から出力させるように構成される。具体的には、変換された映像情報を接続されたディスプレイ装置に送信する命令情報を生成し、送信部に渡す。この結果、送信部は、上で得られた変換済の映像情報を当該命令に従ってインターフェイスを介して接続されたディスプレイ装置に送信することが可能となる。
【００２７】
（他の構成例（１）  再現特性情報として色度座標値データを利用する例）
図３Ｂは、本実施例の画像処理装置の機能ブロックの別の一例を示す。本図に示す「画像処理装置」０３００は、「保存部」０３１０と、「送信部」０３２０と、「映像情報保持部」０３３０と、「色度座標変換部」０３４０と、「色度座標制御部」０３５０とからなる。本例の画像処理装置は、忠実な色の映像がディスプレイ装置で再現されるように映像情報を変換して出力させる制御を行うように構成されている点で図３Ａに示した画像処理装置と共通するが、特に再現特性情報として色度座標値データを利用することを特徴とするものである。
【００２８】
（保存部）
「保存部」は、ディスプレイ装置から読み取られる色度座標を示す色度座標値データを一以上保存するように構成されている。従って、保存される色度座標は一つでも複数でもよい。この保存を行うに際しては、既述のように、インターフェイスを介してディスプレイ装置を接続した後に当該ディスプレイ装置から色度座標を取得してもよいし、ディスプレイ装置以外の装置からインターフェイスを介して色度座標を取得してもよい。また、色度座標値データを複数保存する場合に、取得の方法が上のどちらかに統一されている必要はなく、両者が混在していてもよい。
【００２９】
図４に、ディスプレイ装置のＲＧＢＷ色度座標を示す色度図としてＸＹＺ表色系に基づいて考案された表色系であるｘｙＹ表色系の一例を示す。ＸＹＺ表色系は、ＲＧＢ表色系、即ち上述のＲＧＢＷ色空間に対応するＲＧＢＷ色度座標を用いた表色系の不便さを補うための表色系である。即ち、ＲＧＢ表色系は、ＲＧＢ色空間の外側の色はＲＧＢに負の係数を用いることで色空間を拡張しなければ表現できないという特徴がある。そこで、ＸＹＺ表色系は、この不便さを補うため、ＲＧＢ表色系を単純な位置変換で負の値が現れないように定めたものである。さらに、ｘｙＹ表色系は、ＸＹＺ表色系をよりわかりやすく表現したもので、すべての色をその表現要素ｘｙ（色度）とＹ（明度）によって表現することを可能にしたものである。なお、本図では便宜上ｘｙ色度図で示したところ、ｘｙ色度図は、色の表現要素ｘｙ、ＹのうちＹを省略し、ｘｙによる二次元平面、即ち色度座標によってすべての色を表現したものである（本発明では実座標として（ｘ，ｙ，ｚ）座標で記述しているが、座標を導くのに使用する、Ｘ、Ｙ、Ｚ値でも同じなのは言うまでもない）。＠  従って、Ｒ、Ｇ、Ｂと、Ｘ、Ｙ、Ｚ、さらにはこれから派生するｘ、ｙは、相互変換が可能であり、ｘｙ色度図上において任意の色の座標位置をＲ、Ｇ、Ｂを用いて表すことができる。後述するように、Ｒ、Ｇ、Ｂ、Ｗの色度座標の変換は例えば３×３行列を用いて変換する。
【００３０】
ｘｙ色度図においては、周辺部に近いほど彩度が増す。本図において、Ｒ、Ｇ、Ｂで示す各点が三原色である赤色、緑色、青色の純色を表現している。一方、逆に中央に近い部分が白色（無彩色）に対応しており、本図においてＷで示す点が基準白色を表現している。ディスプレイ装置などにおいて表現可能な範囲は、Ｗを含みＲ、Ｇ、Ｂの三点によって囲まれる三角形０４０１の範囲内となる。このＲ、Ｇ、Ｂ、Ｗの座標位置はディスプレイ装置により異なる。なお、図形０４０２は人間が識別できる色の範囲を示すスペクトル軌跡であり、実用的には、三角形０４０１がこの図形０４０２の範囲内に包含される。これにより、このＲ，Ｇ、Ｂを頂点とする三角形の範囲内におけるすべての色を数値の組合せにより表現し、ディスプレイ装置において識別可能に再現することが可能となる。
【００３１】
具体的には、Ｒ，Ｇ、Ｂを頂点とする三角形の範囲内における任意の色は、ｘとｙによる２次元平面上の座標で表現される。ここで、ｘ、ｙ、ｚは、それぞれ（数１）に示す式によって表される。なお、この式ではｚも示したが、この式からも明らかなようにｚは１からｘとｙを減じたものである。ｘ、ｙ、ｚは、一般にｘの値が大きいほど赤みが強く、ｙの値が大きいほど緑みが強い。また、ｚの値が大きいほど、即ち、ｘｙ色度図上ではｘ及びｙの値が小さいほど青みが強くなるという相互関係にある。このように、ｘ、ｙ、ｚすべてをｘとｙによる２次元平面上の座標で表すことができる。
【００３２】
（数１）ｘ＝Ｘ／（Ｘ＋Ｙ＋Ｚ），ｙ＝Ｙ／（Ｘ＋Ｙ＋Ｚ），ｚ＝Ｚ／（Ｘ＋Ｙ＋Ｚ）
【００３３】
ここで、Ｘ、Ｙ、ＺはＸＹＺ表色系における表現指標であり、上の（数１）から明らかなように、Ｘ、Ｚはそれぞれ（数２）で示すように、ｘ、ｙ及びＹを用いた式によって表現可能である（なお、ＹはｘｙＹ表色系においてはそのまま用いられる）。
【００３４】
（数２）Ｘ＝ｘＹ／ｙ，Ｚ＝（１−ｘ−ｙ）Ｙ／ｙ
【００３５】
さらに、Ｒ、Ｇ、ＢとＸ、Ｙ、Ｚとは以下の（数３）の式に示すような関係にあることが知られている。
【００３６】
【数３】
2008295034.tif 000003
【００３７】
この結果、Ｒ、Ｇ、ＢとＸ、Ｙ、Ｚ、さらにはｘ、ｙの相互変換が可能となり、ｘｙ色度図上において任意の色の座標位置をＲ、Ｇ、Ｂを用いて表すことができるようになる。従って、Ｒ、Ｇ、Ｂの三点の座標が決まれば、任意の点の座標も一義的に決まることとなる。このため、映像情報の送り手である画像処理装置と、送り先（受像側）であるディスプレイ装置とがＲ、Ｇ、Ｂの三点の座標を共有していれば、任意の点の座標も両装置間で共有することができる。換言すれば、画像処理装置から送った映像情報で示される色のとおりにディスプレイ装置で忠実に再現してこれを表現することが可能となる。しかし既述のように、実際にはディスプレイ装置ごとに色の再現特性が異なっている。このため、画像処理装置から送った映像情報に含まれる色をディスプレイ装置で忠実に再現して表現するためには、撮像装置から取得した映像情報を当該ディスプレイ装置の再現特性に対応して変換する必要がある。
本発明では、画像処理装置が、当該ディスプレイ装置の再現特性を予め把握しておき、画像処理装置の側でこの再現特性に合わせて映像情報を変換してからディスプレイ装置に送るようにすることで、このディスプレイ装置での忠実な色の映像の再現を可能にしている。
【００３８】
「色度座標値データ」は、ディスプレイ装置の識別情報と、当該ディスプレイ装置で表示可能な色についてＲ、Ｇ、Ｂそれぞれの色度座標値を対応付けたものであり、これらを表すテーブルとして保存してもよいし、関数として保存してもよい（かかるテーブルの一例を、後述する映像情報保持部の構成の中で、撮像装置の色度座標値に係るテーブルとともに示す）。
【００３９】
（送信部）
「送信部」は、ディスプレイ装置を直接又は間接に接続して映像情報を送信するように構成されている。即ち、送信部の第一の機能は、インターフェイスを介してディスプレイ装置を画像処理装置自身に接続する機能である。これは、ディスプレイ装置の再現特性に合わせて変換した映像情報を当該ディスプレイ装置に送信することを可能にするための動作である（なお、既述のように、画像処理装置が、ディスプレイ装置からインターフェイスを介して直接ＲＧＢＷ色度座標を取得して保存する場合は、上記（１）の処理に先立ち画像処理装置がディスプレイ装置をいったん接続する必要がある）。
【００４０】
なお、「直接又は間接に」接続するとは、画像処理装置とディスプレイ装置とがインターフェイスで直接接続されていてもよいし、無線等で相互接続されてもよいし、両装置の間に他の装置‐例えば図１Ｂで示したように記録処理装置や図１Ｃで示したような画像加工処理装置‐を介在させて間接的に接続されていてもよいという意味である。また、接続されるディスプレイ装置の数は、図１Ａなどに示した例のように単数であってもよいし、複数であってもよい（接続されるディスプレイ装置が複数の場合については、別の実施例にて後述する）。接続するためのインターフェイスの種類にも特に限定はない。
【００４１】
送信部の第二の機能は、当該接続されたディスプレイ装置に対して映像情報を送信する機能である。映像情報を送信するためのインターフェイスの種類には特に限定はない。なお、図１Ａなどでは、画像処理装置と接続された撮像装置から画像処理装置に対して映像情報を送信する場合の送信手段についても示したが、この映像情報を受信する際の撮像装置との間のインターフェイスの種類についても同様に特に限定はない。また、撮像装置と画像処理装置の接続を仲介するインターフェイスと、画像処理装置とディスプレイ装置の接続を仲介するインターフェイスが同じ種類である必要もない。
【００４２】
（映像情報保持部）
「映像情報保持部」は、色度座標値が既知である映像情報を保持するように構成されている。「色度座標値が既知である映像情報」とは、例えば撮像装置から送信された映像情報を変換してディスプレイ装置に送信する場合であれば、その映像を撮影した撮像装置の色度座標値が予めわかっているということである。即ち、撮像装置は当該装置特有の撮像特性を示す色度座標値を有しているところ、この色度座標値は、後述するように、画像処理装置がディスプレイ装置での忠実な色の再現を可能にするために映像情報を送信手段に接続されたディスプレイ装置に対応した色度座標値に補正する際にディスプレイ装置の色度座標値と比較することでどれだけ補正すればよいかを計算する際に利用される。このため、画像処理装置は、当該撮像装置が撮影した映像の色度座標値標を変換前に予め知っている必要があるわけである。
保持される映像情報の色度座標値の取得は、次段落に述べるように、画像処理装置が撮像装置から映像情報を取得する際に合わせて取得してもよいし、それ以外の方法（例えば、色度座標値を蓄積したデータベースを保持するメーカのサーバ装置から取得する方法）で取得してもよい。
なお、映像情報は動画映像情報であっても静止画映像情報であってもよい。
【００４３】
図５は、色度座標値が既知である映像情報に係る色度座標値を示すｘｙ色度図の一例を示す。本図において、赤色、緑色、青色の純色を示す各点とその座標値は、Ｒ０（ｒｘ０，ｒｙ０，ｒｚ０）、Ｇ０（ｇｘ０，ｇｙ０，ｇｚ０）、Ｂ０（ｂｘ０，ｂｙ０，ｂｚ０）である。これは撮像系で想定していたディスプレイの色再現範囲である。また、本図では、ディスプレイ装置の色度座標値を重ねて表示している。即ち、本図においてディスプレイ装置に係る赤色、緑色、青色の純色を示す各点とその座標値は、Ｒ１（ｒｘ１，ｒｙ１，ｒｚ１）、Ｇ１（ｇｘ１，ｇｙ１，ｇｚ１）、Ｂ１（ｂｘ１，ｂｙ１，ｂｚ１）である。本図は、撮像装置で想定していた色再現範囲とディスプレイ装置の再現範囲での違いを表している。そこで、次に述べる色度座標変換部が、映像情報を画像処理装置に接続されているディスプレイ装置に対応した色度座標に変換し、この変換後の映像情報をディスプレイ装置に送信することで、忠実な色の映像を再現してディスプレイ装置で表示することが実現可能となる（即ち、撮像者の意図どおりの忠実な色の再現が可能になる）。なお、この変換のために、当該既知の色度座標値は、ディスプレイ装置の色度座標値と同様、テーブルなどとして保存されていてもよい。
【００４４】
図６（ａ）は、かかる既知の色度座標値を示すテーブルの一例を示す。複数の撮像装置がある場合にはこの撮像装置の数に対応して複数のテーブルを有していてもよい。この場合には、各テーブルは撮像装置の識別情報などにより識別される。本図では、撮像装置の識別情報０６０１が「ＶＣ‐１０Ａ」であり、表示可能なすべての色（例えば、２４ビットを割り振ることで表示可能な１６７７万７２１６色）について、それぞれの色ごとの色度座標値０６０２がＲ、Ｇ、Ｂそれぞれの強度指数０６０３〜０６０５で示されている。例えば、緑の純色の色度座標値が「０１０３８９７６」であるとすると、これはＲ、Ｇ、Ｂそれぞれの強度指数「０」、「１２８」、「０」で表される。
【００４５】
また、図６（ｂ）は、前述のディスプレイ装置に対応した色度座標値データを表すテーブルの一例を示す。本図では、ディスプレイ装置の識別情報０６０６が「ＬＣ‐３７Ｇ」であり、図６（ａ）と同様に、表示可能なすべての色について、それぞれの色ごとの色度座標値０６０７がＲ、Ｇ、Ｂそれぞれの強度指数０６０８〜０６１０で示されている。ここでは、緑の純色の色度座標値が「０１０３９０００」であり、これはＲ、Ｇ、Ｂそれぞれの強度指数「０」、「１２８」、「０」で表される。
【００４６】
（色度座標変換部）
「色度座標変換部」は、保存部に保存されている色度座標値データから送信部に接続されたディスプレイ装置に対応するものを選択してこれを利用し、映像情報保持部にて保持された映像情報を送信部に接続されたディスプレイ装置に対応した色度座標に変換するように構成されている。対応するディスプレイ装置の色度座標値データの選択は、例えば、当該接続されたディスプレイ装置からインターフェイスを介してディスプレイ装置の識別情報（例えば機器番号）を取得し、これと保存部に保存されている色度座標値データごとに付加されているディスプレイ装置の識別情報とを照合することで実行可能である。
【００４７】
次に、このようにして選択された色度座標値データを利用して映像情報に含まれる既知の色度座標をディスプレイ装置に対応した色度座標に変換するための具体的構成の一例について説明する。例えば、ＲＧＢＷ色度座標が既知である映像情報に係るＲＧＢＷ色度座標がＲ０（ｒｘ０，ｒｙ０，ｒｚ０）、Ｇ０（ｇｘ０，ｇｙ０，ｇｚ０）、Ｂ０（ｂｘ０，ｂｙ０，ｂｚ０）、選択したディスプレイ装置に係る座標位置がＲ１（ｒｘ１，ｒｙ１，ｒｚ１）、Ｇ１（ｇｘ１，ｇｙ１，ｇｚ１）、Ｂ１（ｂｘ１，ｂｙ１，ｂｚ１）の場合、色度座標変換部は、（数４）に示す３×３行列を用いて変換処理を実行する。
【００４８】
【数４】
2008295034.tif 000004
【００４９】
ここで、「ｋ」は、変換係数であり、（数４）に示した式から、ｋの値は、（数５）に示す式によって示される。
【００５０】
【数５】
2008295034.tif 000005
【００５１】
そして、このようにして求めた係数ｋをＲＧＢＷ色度座標が既知である映像情報に掛ければディスプレイ装置に対応したＲＧＢＷ色度座標に変換された映像情報が得られることとなる。得られた映像情報は送信部に渡される。
かかる変換は、図６に示したテーブルを利用して行うことも可能であり、例えば、撮像装置からみて理想的なディスプレイ装置で緑の純色を表す色度座標値及びこれを表示するためのＲ、Ｇ、Ｂの強度指数が既知であることから、接続されたディスプレイ装置に対応するこれらの値を取得して、かかる強度指数で出力されるように計算して求めた値を係数として用いて変換を行えばよい。
【００５２】
（色度座標制御部）
「色度座標制御部」は、変換された映像情報を送信部から送信させるように構成されている。具体的には、色度座標制御部は、変換された映像情報を接続されたディスプレイ装置に送信する命令情報を生成し、送信部に渡す。この結果、送信部は、上で得られた変換済の映像情報を当該命令に従ってインターフェイスを介して接続されたディスプレイ装置に送信する。
【００５３】
（ハードウェア構成）
次に、本実施例の画像処理装置のハードウェア構成について説明する。ここでは、図３Ｂに機能ブロックを示したような再現特性情報として色度座標値データを利用する画像処理装置の例で説明するが、図３Ａに機能ブロックを示したような画像処理装置のハードウェア構成も基本的に同様である。
【００５４】
図７は、本実施例の画像処理装置のハードウェア構成の一例を示す概略図である。本図に示すように、本例の画像処理装置の保存部と、送信部と、映像情報保持部は、「ＣＰＵ」０７０１と、「記憶装置」０７０２と、「メインメモリ」０７０３と、「Ｉ／Ｏ」０７０４とからなる。色度座標変換部と、色度座標制御部は、「ＣＰＵ」と、「記憶装置」と、「メインメモリ」とからなる。これらは「システムバス」０７０５などのデータ通信経路によって相互に接続され、情報の送受信や処理を行う。記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。本例では色度座標変換プログラムと、色度座標制御プログラムが記憶装置に記憶されており、これらのプログラムは例えば電源投入とともに自動的に記憶装置から読み出されてメインメモリに常駐する。
【００５５】
まず、画像処理装置は色度座標値データを保存するための構成を有するところ、その具体的構成としては、（１）画像処理装置がインターフェイスを介してディスプレイ装置を接続した後に当該ディスプレイ装置からＲＧＢＷ色度座標を取得する構成の場合は、例えば、ディスプレイ装置のＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）に書き込まれたＲＧＢＷ色度座標を、ＣＰＵがインターフェイスを介して取得する。また、（２）ディスプレイ装置以外の装置からインターフェイスを介してＲＧＢＷ色度座標を取得する場合であれば、例えば、ディスプレイ装置のＲＧＢＷ色度座標を蓄積したデータベースを保持するメーカのサーバ装置に対し、ＣＰＵがディスプレイ装置のＲＧＢＷ色度座標の要求情報を送信し、当該サーバ装置からインターフェイスを介してＲＧＢＷ色度座標を取得する。取得したＲＧＢＷ色度座標は、メインメモリにいったん格納される。その際、ＲＧＢＷ色度座標がどのディスプレイ装置にかかるものであるかを識別できるようにする必要があることから、ＲＧＢＷ色度座標とディスプレイ装置の識別情報（例えば機器番号）とを関連付けて格納する。さらに、ＣＰＵは、ＲＧＢＷ色度座標を記憶装置に記憶してもよい。
【００５６】
また、ＣＰＵは、ＲＧＢＷ色度座標が既知である映像情報を撮像装置からインターフェイスを介して取得する。ＲＧＢＷ色度座標が既知であることは、一方で予め記憶装置に当該撮像装置のＲＧＢＷ色度座標と、撮像装置の識別情報とＲＧＢＷ色度座標とを関連付けたテーブル（撮像装置・ＲＧＢＷ色度座標関連付けテーブル）が記憶されており、他方で映像情報を取得する際に撮像装置の識別情報をこれと関連付けて取得するように構成されていることから、この取得した識別情報を手掛かりに上記の撮像装置・ＲＧＢＷ色度座標関連付けテーブルをメインメモリに読み出して検索してＲＧＢＷ色度座標を特定できることで担保される。撮像装置のＲＧＢＷ色度座標を予め取得しておくための構成は、ディスプレイ装置のＲＧＢＷ色度座標の取得に係る構成と同じである。
【００５７】
次に、ＣＰＵは、インターフェイスを介してディスプレイ装置を接続する。具体的には、例えばＵＳＢ（Ｕｎｉｖｅｒｓａｌ  Ｓｅｒｉａｌ  Ｂｕｓ）ケーブルなどで物理的に接続された画像処理装置とディスプレイ装置との間で装置認識のための通信を行い、この通信において画像処理装置のＣＰＵがディスプレイ装置の識別情報などを読み出して当該ディスプレイ装置を認識することでディスプレイ装置の接続が行われる。読み出したディスプレイ装置の識別情報はメインメモリにいったん格納される。この接続されるディスプレイ装置の数は、単数であっても複数であってもよい。また、既述のようにインターフェイスの種類には特に限定はないところ、具体的には、ＵＳＢ、ｉ‐ＬＩＮＫ、ＤＶＩ（Ｄｉｇｉｔａｌ  Ｖｉｓｕａｌ  Ｉｎｔｅｒｆａｃｅ）、ＨＤＭＩ（Ｈｉｇｈ‐Ｄｅｆｉｎｉｔｉｏｎ  Ｍｕｌｔｉｍｅｄｉａ  Ｉｎｔｅｒｆａｃｅ）などの有線手段のほか、ＩｒＳｉｍｐｌｅなどの赤外線通信手段、Ｂｌｕｅｔｏｏｔｈ（登録商標）、ＵＷＢ（Ｕｌｔｒａ  Ｗｉｄｅ  Ｂａｎｄ）、ミリ波などの赤外線通信手段以外の無線手段などであってもよい。
【００５８】
次に、ＣＰＵは、色度座標変換プログラムを実行してＲＧＢＷ色度座標の変換を行う。この処理は、（１）メインメモリに格納されているディスプレイ装置の色度座標値データから送信部に接続されたディスプレイ装置に対応するものを選択する処理と、（２）選択した色度座標を利用して、ＲＧＢＷ色度座標が既知である映像情報を、接続されたディスプレイ装置に対応したＲＧＢＷ色度座標に変換する処理からなる。このうち、（１）の選択は、例えば、ＣＰＵが、接続されたディスプレイ装置の識別情報（機器番号など）に基づいて、接続されたディスプレイ装置の識別情報と色度座標値データとを関連付けたテーブルを参照するなどにより、メインメモリに格納されているディスプレイ装置の色度座標値データの中から当該識別情報に関連付けられているデータを選択することにより行う。選択された色度座標値データはメインメモリにいったん格納される。
【００５９】
次に（２）の変換処理のための具体的構成について説明する。この場合、ＣＰＵは、上記の一連の処理の結果メインメモリに格納されている映像情報と、撮像装置・ＲＧＢＷ色度座標関連付けテーブルと、選択された色度座標値データとに基づいて、色度座標変換プログラムを実行して映像情報の変換処理を行う。この色度座標変換プログラムは、既述の数式などで示したＲ、Ｇ、Ｂとｘ、ｙの相互変換のための式に基づく変換ルールに従って演算を行うための手順を定めており、ＣＰＵが当該プログラムの定める手順に従って演算処理を行うことにより、選択されたディスプレイ装置の色度座標におけるＲ、Ｇ、Ｂ、Ｗの座標位置を示す数値が撮像装置の色度座標におけるＲ、Ｇ、Ｂ、Ｗの座標位置を示す数値と同じ値になるように（即ち、ｘｙ色度図上において両者のＲ、Ｇ、Ｂ、Ｗの座標位置が重なるように）するための係数ｋを求め、これを映像情報に掛けることで映像情報の変換が行われる。変換された映像情報はメインメモリにいったん格納される。
【００６０】
さらに、ＣＰＵは、色度座標制御プログラムを実行して、変換された映像情報をディスプレイ装置に送信するための制御を行う。具体的には、ＣＰＵが、メインメモリに格納されたディスプレイ装置の識別情報を読み出すとともに、当該識別情報で識別されるディスプレイ装置に対して当該変換済みの映像情報を送信するという色度座標制御プログラムの定める手順に従い、Ｉ／Ｏを介して映像情報をディスプレイ装置に送信する処理を実行する。
【００６１】
（他の構成例（２）  記録系からの映像信号について処理を行う例）
以上では、画像処理装置が、主に撮像系（撮像装置）からの映像信号をディスプレイ装置で忠実に再現するための変換を行ってディスプレイ装置に送信する制御を行う例を念頭に置いて説明した。しかし、本実施例の画像処理装置はこれに限られず、記録系（記録装置）からの映像信号について同様の処理を行うものであってもよい。この場合、例えば、映像情報保持部が保持するＲＧＢＷ色度座標値が既知である映像情報を当該ＲＧＢＷ色度座標値と関連付けて記憶装置に記憶させておくか、あるいは画像処理装置外の記録装置を用いる場合には、当該映像情報をディスプレイ装置に送信する際などに記録装置にもＲＧＢＷ色度座標値とともに送信して当該記録装置に記録させておくことなどにより、かかる変換・送信制御処理が実行可能となる。
【００６２】
<処理の流れ>
図８は、本実施例の画像処理装置における処理の流れの一例を示す。ここでも、図３Ｂに示したような再現特性情報として色度座標値データを利用する画像処理装置の例で説明するが、図３Ａに示したような画像処理装置における処理の流れも基本的に同様である。
本実施例における処理の流れは以下のステップからなる。
まず、色度座標値データ保存ステップＳ０８０１において、画像処理装置は、ディスプレイ装置のＲＧＢＷ色度座標を示す色度座標値データを一以上保存する。
次に、第一送信ステップＳ０８０２において、画像処理装置は、ディスプレイ装置を接続する。
次に、選択ステップＳ０８０３において、画像処理装置は、色度座標値データ保存ステップＳ０８０１にて保存された色度座標値データから第一送信ステップＳ０８０２にて接続されたディスプレイ装置に対応するものを選択する。
次に、色度座標変換ステップＳ０８０４において、画像処理装置は、選択ステップＳ０８０３にて選択された色度座標値データを利用して、ＲＧＢＷ色度座標が既知である映像情報を、第一送信ステップＳ０８０２にて接続されたディスプレイ装置に対応したＲＧＢＷ色度座標に変換する。
次に、色度座標制御ステップＳ０８０５において、画像処理装置は、色度座標変換ステップＳ０８０４にて変換された映像情報をディスプレイ装置に対して送信させる制御を行う。
さらに、第二送信ステップＳ０８０６において、画像処理装置は、色度座標制御ステップＳ０８０５にての制御に従いディスプレイ装置に対して映像情報を送信する。
【００６３】
<効果>
本実施例の発明により、撮像系、記録系からの映像信号をディスプレイ装置で忠実に再現するための補正（変換）を行うに際して、撮像者の意図する理想的なディスプレイ装置で再現した場合と同じ忠実な色の映像になるように補正（変換）し、当該映像をエンドユーザである視聴者に対して再現して表示することができる画像処理装置を提供することが可能となる。
【実施例２】
【００６４】
<概要>
本実施例の画像処理装置は、複数のディスプレイ装置に直接又は間接に接続され、ディスプレイ装置の再現特性情報を取得又は選択し、得られた再現特性情報を利用して複数のディスプレイ装置の間で統一された色の映像が再現されるように映像情報を変換して出力させる制御を行う手段を有する点に特徴がある。
また、本実施例の画像処理装置には、複数のディスプレイ装置に直接又は間接に接続され、ディスプレイ装置の色度座標値データを保存する手段を有するとともに、保存されたデータからディスプレイ装置に対応するデータを選択してこれを利用し、映像情報を当該ディスプレイ装置に対応する色度座標に変換する手段を複数有し、変換された映像情報を複数の送信手段によって送信させる制御を行う手段を有するものも含まれる。これも、複数のディスプレイ装置の間で統一された色の映像が再現されるように映像情報を変換して出力させる制御を行うことを可能にした点で、上述の画像処理装置と共通の特徴を有するものである。
【００６５】
<構成>
（全般）
図９Ａは、本実施例の画像処理装置の機能ブロックの一例を示す。本図に示す「画像処理装置」０９００は、「送信部」０９０１と、「再現特性取得部」０９０２と、「変換部」０９０３と、「制御部」０９０４とを有する。
【００６６】
（本実施例の構成の目的）
本実施例の構成は、複数のディスプレイ装置にて一度に同じ映像を表示したり、一つの映像を複数のディスプレイ装置に分割して表示したりする場合に、これらの映像をどのディスプレイ装置においても撮像者の意図に忠実な色で再現し、もって複数のディスプレイ装置の間で統一された色の映像を再現することを目的とする。この結果、複数のディスプレイ装置にて一度に同じ映像を表示する場合であれば、どのディスプレイ装置においても統一された色の映像を表示することができ、また、一つの映像を複数のディスプレイ装置に分割して表示する場合であれば、ディスプレイ装置間での色のずれ（違い）を生じることのない、複数のディスプレイ装置で構成される画面全体として統一された色の映像を表示することができる。
以下、実施例１と同様に、再現特性情報として色度座標を利用する装置の例で説明する。
【００６７】
（送信部）
「送信部」は、複数のディスプレイ装置を直接又は間接に接続して映像情報を送信するように構成されている。即ち、本実施例の画像処理装置の送信部は、実施例１と異なり、映像情報を送信するために接続されるディスプレイ装置が複数である点に特徴がある。
送信部のその余の構成は、図３Ａを用いて示した実施例１の画像処理装置の場合と同様である。
【００６８】
（再現特性取得部）
「再現特性取得部」は、接続された複数のディスプレイ装置の再現特性情報を取得又は選択するように構成されている。即ち、本実施例の画像処理装置の再現特性取得部は、実施例１と異なり、ディスプレイ装置の再現特性の各々を取得、選択するように構成されている点に特徴がある。
再現特性出取得部のその余の構成は、図３Ａを用いて示した実施例１の画像処理装置の場合と同様である。
【００６９】
（変換部）
「変換部」は、再現特性取得部によって得られたた各々の再現特性情報を利用して、複数のディスプレイ装置の間で統一された色の映像が再現されるように、映像情報を変換するように構成されている。
「統一された色の映像が再現される」とは、複数のディスプレイ装置の間で同じ色で映像が再現されることをいう。より具体的には、複数のディスプレイ装置にて一度に同じ映像を表示する場合であれば、どのディスプレイ装置においても統一された色の映像が再現されることを言い、また、一つの映像を複数のディスプレイ装置に分割して表示する場合であれば、ディスプレイ装置間での色のずれ（違い）を生じることのない、複数のディスプレイ装置で構成される画面全体として統一された色の映像が再現されることを言う。さらに言えば、この統一された色は理想的なディスプレイ装置で再現した場合の色と同じ色である。
【００７０】
変換を行うための構成自体は実施例１の装置の「変換部」と同じであるが、実施例１との違いは、複数のディスプレイ装置の間で統一された色の映像が再現されるように、これらディスプレイ装置の各々の再現特性情報を利用した変換がなされる点にある。これにより、送信手段が接続した複数のディスプレイ装置のそれぞれの再現特性に対応して、どのディスプレイ装置においても撮像者の意図した色を忠実に再現するように色度座標値を変換することが可能となる。
なお、制御部の構成は、図３Ａを用いて示した実施例１の画像処理装置の制御部の構成と同様である。
【００７１】
（他の構成例  再現特性情報として色度座標値データを利用する例）
図９Ｂは、本実施例の画像処理装置の機能ブロックの別の一例を示す。本図に示すように、本実施例の「画像処理装置」０９００は、基本的に実施例１の装置と共通するが、「送信部」０９２０は、直接又は間接に接続して映像情報をディスプレイ装置に送信するための「送信手段」０９２１を複数有し、「色度座標変換部」０９４０は、複数のディスプレイ装置に対応した色度座標の変換をする「色度座標変換手段」０９４１を複数有し、「色度座標制御部」０９５０は、複数の色度座標変換手段にて変換される映像情報を対応するディスプレイ装置に対して同時に送信手段から送信させるように制御する「色度座標同時制御手段」０９５１を有する。本例の画像処理装置は、複数のディスプレイ装置にて一度に同じ映像を表示したり、一つの映像を複数のディスプレイ装置に分割して表示したりする場合に、これらの映像がどのディスプレイ装置においても撮像者の意図に忠実な色で再現されるように映像情報を変換して出力させる制御を行うように構成されている点で図９Ａに示した画像処理装置と共通するが、特に再現特性情報として色度座標値データを利用することを特徴とするものである。
【００７２】
（送信手段）
「送信手段」は、直接又は間接に接続して映像情報をディスプレイ装置に送信するためのものであり、「送信」を行うための構成自体は図３Ｂを用いて示した実施例１の装置の「送信部」と同じであるが、実施例１との違いは、送信部がこの送信手段を複数有している点にある。これにより、複数のディスプレイ装置を同時に接続して、これらの複数のディスプレイ装置に同時に映像情報を送信することが可能となる。
なお、これら複数の送信手段が送信する複数の映像情報は、すべて同一のものであってもよいし、異なる内容のものであってもよい。後者の場合には、例えば、一つの映像を複数のディスプレイ装置に分割して表示する場合に、それぞれのディスプレイ装置に異なる映像情報を送信する場合などが該当する。
【００７３】
（色度座標変換手段）
「色度座標変換手段」は、複数のディスプレイ装置に対応した色度座標の変換をするように構成されており、「色度座標変換」を行うための構成自体は実施例１の装置の「色度座標変換部」と同じであるが、実施例１との違いは、色度座標変換部がこの色度座標変換手段を複数有している点にある。これにより、送信手段が接続した複数のディスプレイ装置のそれぞれの再現特性に対応して、どのディスプレイ装置においても撮像者の意図した色を忠実に再現するように色度座標値を変換することが可能となる。なお、ここでの色度座標の変換対象である映像情報も、すべて同一のものであってもよいし、異なる内容のものであってもよい。
【００７４】
（色度座標同時制御手段）
「色度座標同時制御手段」は、複数の色度座標変換手段にて変換される映像情報を対応するディスプレイ装置に対して同時に送信手段から送信させるように制御するように構成されており、上述の「色度座標制御」を行うための構成自体は実施例１の装置の「色度座標制御部」と同じであるが、実施例１との違いは、色度座標同時制御手段が、映像情報を複数のディスプレイ装置に対して同時に送信するための制御手段を有している点にある。これにより、複数のディスプレイ装置を同時に接続して、これらの複数のディスプレイ装置に同時に映像情報を送信し、もってこれら複数のディスプレイ装置において映像を同時に表示させることが可能となる。なお、ここでの送信制御対象である映像情報も、すべて同一のものであってもよいし、異なる内容のものであってもよい。
【００７５】
（ハードウェア構成）
次に、本実施例の画像処理装置のハードウェア構成について説明する。本実施例の構成は実施例１と基本的に共通するので、図示は省略し、以下、実施例１と異なる点を中心に説明する。なお、ここでも、図９Ｂに機能ブロックを示したような再現特性情報として色度座標値データを利用する画像処理装置の例で説明するが、図９Ａに機能ブロックを示したような画像処理装置のハードウェア構成も基本的に同様である。
【００７６】
まず、本実施例では、ディスプレイ装置のインターフェイスを介した接続は、複数の装置を対象として行うように構成されている。従って、画像処理装置のＣＰＵは物理的に接続された複数のディスプレイ装置との通信によるディスプレイ装置の識別情報などの読出しをこれら複数のディスプレイ装置ごとに行い、これによってそれぞれのディスプレイ装置を一意的に識別して接続を行う。読み出した複数のディスプレイ装置の識別情報はそれぞれメインメモリにいったん格納される。
【００７７】
次に、色度座標の変換も、これら複数のディスプレイ装置のそれぞれに対応して行われるように構成される。即ち、ＣＰＵは、メインメモリに格納されているディスプレイ装置の色度座標値データから送信部に接続されたディスプレイ装置に対応するものを選択して、この選択した色度座標を利用して、例えばＲＧＢＷ色度座標が既知である映像情報を、接続されたディスプレイ装置に対応したＲＧＢＷ色度座標に変換するところ、ある特定のディスプレイ装置についてこの処理を行う際には、ＣＰＵが、接続されたディスプレイ装置の識別情報（機器番号など）に基づいて、接続されたディスプレイ装置の識別情報と色度座標値データとを関連付けたテーブル（このテーブルもディスプレイ装置ごとに保持されており、ディスプレイ装置の識別情報と関連付けることによりどのディスプレイ装置に係るテーブルかを識別できるようになっている）を参照することなどにより行う。選択に係る構成自体は実施例１と同様である。
【００７８】
また、ＣＰＵが、メインメモリに格納されている映像情報と、撮像装置・ＲＧＢＷ色度座標関連付けテーブルと、選択された色度座標値データとに基づいて、映像情報の変換処理を行うに際しても、上の複数のディスプレイ装置に係る色度座標値データが選択されることに伴い、これら複数のディスプレイ装置ごとに変換が行われる。変換に係る構成自体は実施例１と同様である。
【００７９】
さらに、ＣＰＵがこれら変換された映像情報を複数のディスプレイ装置に送信するための制御を行うに際しては、これら複数のディスプレイ装置に同時に送信を行うように、例えば内蔵する時計機能を利用して制御を行う。
その余のハードウェア構成は実施例１と同様であるから、説明を省略する。
【００８０】
<処理の流れ>
図１０は、本実施例の画像処理装置における処理の流れの一例を示す図である。ここでも、図９Ｂに示したような再現特性情報として色度座標値データを利用する画像処理装置の例で説明するが、図９Ａに示したような画像処理装置における処理の流れも基本的に同様である。
本実施例における処理の流れは、基本的に実施例１と共通する。ただし、本実施例では、画像処理装置は、第一送信ステップＳ１００２において複数のディスプレイ装置を接続する。また、画像処理装置は、選択ステップＳ１００３において複数のディスプレイ装置に係る色度座標値データを選択し、色度座標変換ステップＳ１００４において複数のディスプレイ装置のそれぞれに対応した色度座標値への変換を行う。また、画像処理装置は、色度座標制御ステップＳ１００５においてこれら複数のディスプレイ装置に映像情報を同時に送信するための制御を行い、第二送信ステップＳ１００６において当該映像情報の同時送信を行う。
その余の処理の流れは、実施例１における処理の流れと共通するので説明を省略する。
【００８１】
<効果>
本実施例の発明により、複数のディスプレイ装置にて一度に同じ映像を表示したり、一つの映像を複数のディスプレイ装置に分割したりする場合に、これらの映像をどのディスプレイ装置においても撮像者の意図に忠実な色で再現し、もって複数のディスプレイ装置の間で統一された色の映像を再現することが可能となる。この結果、複数のディスプレイ装置にて一度に同じ映像を表示する場合であれば、どのディスプレイ装置においても統一された色の映像を表示することができ、また、一つの映像を複数のディスプレイ装置に分割して表示する場合であれば、ディスプレイ装置間での色のずれ（違い）を生じることのない、複数のディスプレイ装置で構成される画面全体として統一された色の映像を表示することができる。
【実施例３】
【００８２】
<概要>
本実施例の画像処理装置は、ディスプレイ装置に直接又は間接に接続され、ディスプレイ装置の再現特性情報を取得又は選択し、得られた再現特性情報を利用して忠実な色がディスプレイ装置で再現されるように映像情報を変換して出力させる制御を行う手段を有する点に特徴があり、この点では本実施例の画像処理装置は実施例１の画像処理装置と共通する。ただし、実施例１の画像処理装置が忠実な色が再現されるように変換を行うものであるのに対し、本実施例の画像処理装置は、輝度に歪みのない映像が再現されるように変換を行うものである点に特徴がある。
また、本実施例の画像処理装置には、ディスプレイ装置に直接又は間接に接続され、ディスプレイ装置のガンマデータを保存する手段を有するとともに、保存されたデータからディスプレイ装置に対応するデータを選択してこれを利用し、映像情報を当該ディスプレイ装置に対応するガンマ特性に変換して、変換された映像情報を送信させる制御を行う手段を有するものも含まれる。これも、輝度に歪みのない映像がディスプレイ装置で再現されるように映像情報を変換して出力させる制御を行うことを可能にした点で、上述の画像処理装置と共通の特徴を有するものである。
つまり、実施例１の画像処理装置は忠実な色の映像の再現を行うために色度座標の変換を行うのに対し、本実施例の装置は輝度に歪みのない映像の再現を行うためにガンマ特性の変換を行うという形で、変換の目的及び変換対象に違いがあるものであり、変換その他の処理のための構成自体は基本的に同じである。
【００８３】
<構成>
（全般）
図１１Ａは、本実施例の画像処理装置の機能ブロックの一例を示す。本図に示す「画像処理装置」１１００は、「送信部」１１０１と、「再現特性取得部」１１０２と、「変換部」１１０３と、「制御部」１１０４とを有する。
【００８４】
（再現特性取得部）
「再現特性取得部」は、接続されたディスプレイ装置の再現特性情報を取得又は選択するように構成されている。本発明における「再現特性情報」の定義は実施例１で述べたとおりであるが、本実施例における「再現特性」は、実施例１とは異なり、ディスプレイ装置で映像を表示する際に、ある特定の輝度がどのように表現されるかを数値データで示した特徴をいう。例えば、この再現特性は、ガンマ特性として示される。
【００８５】
（変換部）
「変換部」は、再現特性取得部によって得られた再現特性情報を利用して、輝度に歪みのない映像が前記ディスプレイ装置で再現されるように、映像情報を変換する。この点、実施例１の画像処理装置が忠実な色の映像が再現されるように変換を行うのと異なる。このため、実施例１では再生特性情報として例えば色度座標値データが用いられるが、本実施例では再生特性情報として例えばガンマデータが用いられる。映像情報の変換のしくみ自体は、実施例１と同様の方法が用いられる。
なお、送信部及び制御部の構成は、実施例１の画像処理装置におけるこれら各部の構成と共通するので、説明を省略する。
【００８６】
（他の構成例  再現特性情報としてガンマデータを利用する例）
図１１Ｂは、本実施例の画像処理装置の機能ブロックの別の一例を示す。本図に示すように、本実施例の「画像処理装置」１１００は、「画像処理装置」１１００は、「ガンマデータ保存部」１１１０と、「送信部」１１２０と、「映像情報保持部」１１３０と、「ガンマ変換部」１１４０と、「ガンマ制御部」１１５０とからなる。本例の画像処理装置は、輝度に歪みのない映像がディスプレイ装置で再現されるように映像情報を変換して出力させる制御を行うように構成されている点で図１１Ａに示した画像処理装置と共通するが、特に再現特性情報としてガンマデータを利用することを特徴とするものである。
【００８７】
（ガンマデータ保存部）
「ガンマデータ保存部」は、ディスプレイ装置のガンマ特性を示すガンマデータを保存するように構成されている。ここで「ガンマデータ」とは、既述の色度座標データとパラレルに、ディスプレイ装置の識別情報と、当該ディスプレイ装置のガンマ特性を対応付けたものであり、保存に際しては、例えばこれらを表すテーブルなどとして保存される。
また、ディスプレイ装置の「ガンマ特性」とは、入力されたディスプレイの輝度信号と、実際のディスプレイ上の蛍光帯の輝度の関係をいうとともに、本発明では、このガンマ特性を示す値（一般に「ガンマ値」と呼ばれる）をも意味する。この「ガンマ特性」は、具体的には画像の輝度の変化に対する電圧換算値の変化の比で示され、通常両対数目盛りで描かれたグラフによって表される。
【００８８】
図１２は、かかるガンマ特性を示す両対数目盛りグラフの一例を示す（出典：前掲非特許文献１（８８頁））。この図に示されるように、当該グラフにおける直線部分の傾きがガンマ特性となる。この場合、ガンマ特性（ガンマ値）が１（即ちグラフの傾きが４５度）であれば、撮像装置で撮影された映像情報に含まれるガンマ特性のまま表示するだけで、輝度の歪みのない正しい映像が得られるが、画像の輝度の変化と電圧換算値の変化は常に完全な比例関係になっているわけではなく、ディスプレイ装置の種類によってガンマ特性が異なる。例えば、ガンマ特性が１より小さい場合には、全体的に明るい部分が圧縮されて白づまりの感じを与え、白部分の微妙な濃淡が忠実に再現されないことになり、逆にガンマ特性が１より大きい場合には、全体的に暗い部分が圧縮されて黒づまりの感じを与え、黒部分の微妙な濃淡が忠実に再現されないことになる。そこで、撮像者の意図したとおりに忠実に映像を再現するためには、ディスプレイ装置の特性に対応してガンマ特性が１にほぼ等しくなるように補正を行う必要がある（なお、ガンマ補正のための具体的構成については、「ガンマ変換部」の構成の中で後述する）。
【００８９】
（送信部、映像情報保持部）
「送信部」は、ディスプレイ装置を接続して映像情報を送信するように構成されている。「映像情報保持部」は、ガンマ特性が既知である映像情報を保持するように構成されている。これらの手段は、実施例１の装置の「送信部」、「映像情報保持部」と、処理対象である映像情報の属性が異なるだけで、処理のための構成自体は同じであるので、説明を省略する。
【００９０】
（ガンマ変換部）
「ガンマ変換部」は、ガンマデータ保存部に保存されているガンマデータから送信部に直接又は間接に接続されたディスプレイ装置に対応するものを選択してこれを利用し、映像情報保持部にて保持された映像情報を送信部に直接又は間接に接続されたディスプレイ装置に対応したガンマ特性に変換するように構成されている。対応するディスプレイ装置のガンマデータの選択は、例えば、当該接続されたディスプレイ装置からインターフェイスを介してディスプレイ装置の識別情報（例えば機器番号）を取得し、これとガンマデータ保存部に保存されているガンマデータごとに付加されているディスプレイ装置の識別情報とを照合することで実行可能である。
【００９１】
次に、このようにして選択されたガンマデータを利用して映像情報に含まれる既知のガンマ特性をディスプレイ装置に対応したガンマ特性に変換するための具体的構成の一例について説明する。
既述のようにガンマ特性（γ）は、輝度の変化に対する電圧換算値の変化の比で示されるところ、前掲非特許文献１（８７頁）によれば、具体的には、ガンマ特性（γ）、輝度（Ｌ）、入力信号レベル（Ｖ）の間には（数６）に示す式が成り立つ（なお、Ｌｂは最小入力信号（０％レベル）の黒に対する輝度を示す）。
【００９２】
（数６）Ｌ＝ａＶγ＋Ｌｂ
【００９３】
そして、（数６）に示した式の両辺の対数をとると、（数７）に示す式となるため、縦軸と横軸をｌｏｇ変換して両対数目盛りで表示するとともに、データ点を直線回帰しその傾きを得ることでガンマ特性を求めることができる。
【００９４】
（数７）ｌｏｇ（Ｌ−Ｌｂ）＝γｌｏｇ（Ｖ）＋ｌｏｇ（ａ）
【００９５】
かかる数式によって得られるガンマ特性は、例えば、ディスプレイ装置がテレビジョン装置の場合、一般に２．２であり、パソコンのモニター画面の場合は、一般に１．８ないし２．５であるとされている。
そこで、映像情報に含まれる既知のガンマ特性、即ち撮像装置からみて理想的なディスプレイ装置のガンマ特性が１．０である場合に、選択されたディスプレイ装置に対応したガンマ特性に変換するためには、補正係数として当該ディスプレイ装置のガンマ特性の逆数を掛けることでガンマ補正を行う。例えば、選択されたディスプレイ装置のガンマ特性が２．２の場合には、補正係数は０．４５（＝１／２．２）となる。
【００９６】
（ガンマ制御部）
「ガンマ制御部」は、変換された映像情報を送信部から送信させるように構成されている。当該手段は、実施例１の装置の「送信部」、「映像情報保持部」と、処理対象である映像情報の属性が異なるだけで、処理のための構成自体は同じであるので、説明を省略する。
【００９７】
（ハードウェア構成）
図１３は、本実施例の画像処理装置のハードウェア構成の一例を示す概略図である。ここでは、図１１Ｂに機能ブロックを示したような再現特性情報としてガンマデータを利用する画像処理装置の例で説明するが、図１１Ａに機能ブロックを示したような画像処理装置のハードウェア構成も基本的に同様である。
【００９８】
本図に示すように、本例の画像処理装置のガンマデータ保存部と、送信部と、映像情報保持部は、「ＣＰＵ」１３０１と、「記憶装置」１３０２と、「メインメモリ」１３０３と、「Ｉ／Ｏ」１３０４とからなる。ガンマ変換部と、ガンマ制御部は、「ＣＰＵ」と、「記憶装置」と、「メインメモリ」とからなる。これらは「システムバス」１３０５などのデータ通信経路によって相互に接続され、情報の送受信や処理を行う。記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。本例ではガンマ変換プログラムと、ガンマ制御プログラムが記憶装置に記憶されており、これらのプログラムは例えば電源投入とともに自動的に記憶装置から読み出されてメインメモリに常駐する。
【００９９】
まず、画像処理装置はガンマデータを保存するための構成を有するところ、その具体的構成としては、実施例１において色度座標値データを保存するための構成として説明したところと同様である。即ち、この場合も例えばディスプレイ装置のＥＥＰＲＯＭに書き込まれたガンマ特性を、ＣＰＵがインターフェイスを介して取得してメインメモリに格納する。また、ディスプレイ装置以外の装置（例えばディスプレイ装置のガンマ特性を蓄積したデータベースを保持するメーカのサーバ装置）からインターフェイスを介して取得するようにしてもよい。
【０１００】
また、ＣＰＵは、ガンマ特性が既知である映像情報を撮像装置からインターフェイスを介して取得するところ、このための構成も実施例１でＲＧＢＷ色度座標が既知である映像情報の取得について説明したところと同様である。
【０１０１】
さらに、ＣＰＵがインターフェイスを介してディスプレイ装置を接続する構成についても実施例１で説明したところと同様である。
【０１０２】
次に、ＣＰＵが、ガンマ変換プログラムを実行してガンマ特性の変換を行うための構成について説明する。この処理は、（１）メインメモリに格納されているディスプレイ装置のガンマデータから送信部に接続されたディスプレイ装置に対応するものを選択する処理と、（２）選択したガンマデータを利用して、ガンマ特性が既知である映像情報を、接続されたディスプレイ装置に対応したガンマ特性に変換する処理からなる。このうち、（１）の選択は、例えば、ＣＰＵが、接続されたディスプレイ装置の識別情報（機器番号など）に基づいて、接続されたディスプレイ装置の識別情報とガンマデータとを関連付けたテーブル（撮像装置・ガンマ特性関連付けテーブル）を参照するなどにより、メインメモリに格納されているディスプレイ装置のガンマデータの中から当該識別情報に関連付けられているデータを選択することにより行う。選択されたガンマデータはメインメモリにいったん格納される。
【０１０３】
次に（２）の変換処理のための具体的構成について説明する。この場合、ＣＰＵは、上記の一連の処理の結果メインメモリに格納されている映像情報と、撮像装置・ガンマ特性関連付けテーブルと、選択されたガンマデータとに基づいて、ガンマ変換プログラムを実行して映像情報の変換処理を行う。このガンマ変換プログラムは、既述の数式などで示したガンマと特性を求めるための式に基づく変換ルールに従って演算を行うための手順を定めており、ＣＰＵが当該プログラムの定める手順に従って演算処理を行うことにより、選択されたディスプレイ装置のガンマ特性を示す数値が撮像装置の色度座標におけるガンマ特性を示す数値と同じ値になるようにするための係数を求め、これを映像情報に掛けることで映像情報の変換が行われる。具体的には、既述のようにこの係数は、撮像装置の理想
的なディスプレイ装置のガンマ特性と接続されたディスプレイ装置のガンマ特性の逆数となる。変換された映像情報はメインメモリにいったん格納される。
【０１０４】
さらに、ＣＰＵは、ガンマ制御プログラムを実行して、変換された映像情報をディスプレイ装置に送信するための制御を行う。この処理に係る構成は、実施例１で説明したところと同様である。
【０１０５】
<処理の流れ>
図１４は、本実施例の画像処理装置における処理の流れの一例を示す図である。ここでも、図１１Ｂに示したような再現特性情報としてガンマデータを利用する画像処理装置の例で説明するが、図１１Ａに示したような画像処理装置における処理の流れも基本的に同様である。
本実施例における処理の流れは以下のステップからなる。
まず、ガンマデータ保存ステップＳ１４０１において、画像処理装置は、ディスプレイ装置のガンマ特性を示すガンマデータを一以上保存する。
次に、第一送信ステップＳ１４０２において、画像処理装置は、ディスプレイ装置を接続する。
次に、選択ステップＳ１４０３において、画像処理装置は、ガンマデータ保存ステップＳ１４０１にて保存されたガンマデータから第一送信ステップＳ１４０２にて接続されたディスプレイ装置に対応するものを選択する。
次に、ガンマ変換ステップＳ１４０４において、画像処理装置は、選択ステップＳ１４０３にて選択されたガンマデータを利用して、ガンマ特性が既知である映像情報を、第一送信ステップＳ１４０２にて接続されたディスプレイ装置に対応したガンマ特性に変換する。
次に、ガンマ制御ステップＳ１４０５において、画像処理装置は、ガンマ変換ステップＳ１４０４にて変換された映像情報をディスプレイ装置に対して送信させる制御を行う。
さらに、第二送信ステップＳ１４０６において、画像処理装置は、ガンマ制御ステップＳ１４０５にての制御に従いディスプレイ装置に対して映像情報を送信する。
【０１０６】
<効果>
本実施例の発明により、撮像系、記録系からの映像信号をディスプレイ装置で忠実に再現するための補正（変換）を行うに際して、撮像者の意図する理想的なディスプレイ装置におけるガンマ特性である、映像情報に含まれる既知のガンマ特性に基づいて、ディスプレイ装置のガンマ特性に対応した値に変換を行い、もって輝度に歪みのない映像をエンドユーザである視聴者に対して再現して表示することができる画像処理装置を提供することが可能となる。
【実施例４】
【０１０７】
<概要>
本実施例の画像処理装置は、基本的に図１１Ｂを用いて説明した実施例３の画像処理装置と共通する。ただし、本実施例の装置においては、送信部が接続して映像情報をディスプレイ装置に送信するための送信手段を複数有し、ガンマ変換部が複数のディスプレイ装置に対応したガンマ特性の変換をするガンマ変換手段を複数有し、ガンマ制御部が複数のガンマ変換手段にて変換される映像情報を対応するディスプレイ装置に対して同時に送信手段から送信させるように制御するガンマ同時制御手段を有する点に特徴がある。つまり、本実施例の画像処理装置は、複数のディスプレイ装置を接続して、それぞれのディスプレイ装置の再現特性に対応してガンマ特性の変換を行うことで、すべてのディスプレイ装置において撮像者の意図どおりの輝度に歪みのない映像を再現してエンドユーザである視聴者に対して表示することができるようにしたことに特徴を有する装置である。
【０１０８】
<構成>
（全般）
図１５は、本実施例の画像処理装置の機能ブロックの一例を示す。本図に示すように、本実施例の「画像処理装置」１５００は、基本的に図１１Ｂを用いて説明した実施例３の装置と共通するが、「送信部」１５２０は、直接又は間接に接続して映像情報をディスプレイ装置に送信するための「送信手段」１５２１を複数有し、「ガンマ変換部」１５４０は、複数のディスプレイ装置に対応したガンマ特性の変換をする「ガンマ変換手段」１５４１を複数有し、「ガンマ制御部」１５５０は、複数のガンマ変換手段にて変換される映像情報を対応するディスプレイ装置に対して同時に送信手段から送信させるように制御する「ガンマ同時制御手段」１５５１を有する。
【０１０９】
（本実施例の構成の目的）
本実施例の構成は、実施例２と同様、複数のディスプレイ装置にて一度に同じ映像を表示したり、一つの映像を複数のディスプレイ装置に分割したりする場合に、これらの映像をどのディスプレイ装置においても撮像者の意図に忠実に再現することを目的とする。また、撮像者の意図どおりの輝度に歪みのない映像を再現してディスプレイ装置に表示できるようにすることを目的とする点では、実施例３に示した画像処理装置と共通する。ただし、本実施例ではこれをディスプレイ装置に対応してガンマ特性を変換することにより実現する点で変換の目的及び変換対象が実施例２の画像処理装置と異なり、また、このガンマ特性の変換を複数のディスプレイ装置のいずれにおいても同じように撮像者の意図どおりの輝度に歪みのない映像で表示できるように構成されている点で実施例３の画像処理装置と異なる。この結果、複数のディスプレイ装置において、同時にどのディスプレイ装置においても撮像者の意図どおりに輝度に歪みのない映像を再現して表示することができる。
【０１１０】
（ハードウェア構成）
次に、本実施例の画像処理装置のハードウェア構成について説明する。本実施例の構成は図１１Ｂを用いて説明した実施例３の画像処理装置と基本的に共通するので、図示は省略し、以下、実施例３と異なる点を中心に説明する。
【０１１１】
まず、本実施例では、ディスプレイ装置のインターフェイスを介した接続は、複数の装置を対象として行うように構成されている。従って、画像処理装置のＣＰＵは物理的に接続された複数のディスプレイ装置との通信によるディスプレイ装置の識別情報などの読出しをこれら複数のディスプレイ装置ごとに行い、これによってそれぞれのディスプレイ装置を一意的に識別して接続を行う。読み出した複数のディスプレイ装置の識別情報はそれぞれメインメモリにいったん格納される。
【０１１２】
次に、ガンマ特性の変換も、これら複数のディスプレイ装置のそれぞれに対応して行われるように構成される。即ち、ＣＰＵは、メインメモリに格納されているディスプレイ装置のガンマ特性データから送信部に接続されたディスプレイ装置に対応するものを選択して、この選択したガンマ特性を利用して、ガンマ特性が既知である映像情報を、接続されたディスプレイ装置に対応したガンマ特性に変換するところ、ある特定のディスプレイ装置についてこの処理を行う際には、ＣＰＵが、接続されたディスプレイ装置の識別情報（機器番号など）に基づいて、接続されたディスプレイ装置の識別情報とガンマ特性データとを関連付けたテーブル（このテーブルもディスプレイ装置ごとに保持されており、ディスプレイ装置の識別情報と関連付けることによりどのディスプレイ装置に係るテーブルかを識別できるようになっている）を参照することなどにより行う。選択に係る構成自体は実施例３と同様である。
【０１１３】
また、ＣＰＵが、メインメモリに格納されている映像情報と、撮像装置・ガンマ特性関連付けテーブルと、選択されたガンマ特性データとに基づいて、映像情報の変換処理を行うに際しても、上の複数のディスプレイ装置に係るガンマ特性データが選択されることに伴い、これら複数のディスプレイ装置ごとに変換が行われる。変換に係る構成自体は実施例３と同様である。
【０１１４】
さらに、ＣＰＵがこれら変換された映像情報を複数のディスプレイ装置に送信するための制御を行うに際しては、これら複数のディスプレイ装置に同時に送信を行うように、例えば内蔵する時計機能を利用して制御を行う。
その余のハードウェア構成は実施例３と同様であるから、説明を省略する。
【０１１５】
<処理の流れ>
図１６は、本実施例の画像処理装置における処理の流れの一例を示す図である。本実施例における処理の流れは、基本的に図１１Ｂを用いて説明した実施例３の画像処理装置における処理の流れと共通する。
ただし、本実施例では、画像処理装置は、第一送信ステップＳ１６０２において複数のディスプレイ装置を接続する。また、画像処理装置は、選択ステップＳ１６０３において複数のディスプレイ装置に係るガンマ特性データを選択し、ガンマ変換ステップＳ１６０４において複数のディスプレイ装置のそれぞれに対応したガンマ特性への変換を行う。また、画像処理装置は、ガンマ制御ステップＳ１６０５においてこれら複数のディスプレイ装置に映像情報を同時に送信するための制御を行い、第二送信ステップＳ１６０６において当該映像情報の同時送信を行う。
その余の処理の流れは、上で言及した実施例３における処理の流れと共通するので説明を省略する。
【０１１６】
<効果>
本実施例の発明により、複数のディスプレイ装置にて一度に同じ映像を表示したり、一つの映像を複数のディスプレイ装置に分割したりする場合に、これらの映像をどのディスプレイ装置においても撮像者の意図に忠実に再現することが可能となる。この結果、複数のディスプレイ装置において、同時にどのディスプレイ装置においても輝度の歪みなしに表示することができる。
【実施例５】
【０１１７】
<概要>
本実施例の画像処理装置は、これまでに説明した実施例１から４までの画像処理装置と基本的に共通する。ただし、これまでの実施例の画像処理装置は、主にビデオカメラなどのＡＶ機器で撮像した画像の処理を行う装置を念頭に置いたものであったが、これに対して本実施例の画像処理装置は、主にコンピュータが生成するコンピュータグラフィックス（以下「ＣＧ」と略す。）の処理を想定したものである。このようなＣＧの処理は、例えばコンピュータゲームの画像、映画の映像、ＣＡＤ（Ｃｏｍｐｕｔｅｒ  Ａｉｄｅｄ  Ｄｅｓｉｇｎ）画像などを当該コンピュータと再現特性の異なるディスプレイ装置においても忠実な色で再現できるようにすることを可能にし、近年急速に普及しているこれらの分野における利便性の向上にとって有意義なものである。
なお、本実施例の画像処理装置が行う画像処理のための構成は、これまでの実施例で説明してきた画像処理の装置の構成と基本的に共通である。
【０１１８】
図１７は、本実施例の画像処理装置を含む画像処理システムの概要を示す概念図である。本例の画像処理システムも、実施例１において図１Ａ、図１Ｂ、図１Ｃに示したシステムと同様、画像処理のための変換（補正）・制御機能のほか、撮像（画像生成）機能、記録機能、加工機能、表示機能のすべてを含み得、複数の異なる色再現領域に対応した撮像特性を有する映像信号に対応した色再現を行って表示する処理を行うことが可能なシステムである。ただし、本例の画像処理システムは、コンピュータ端末装置を構成要素として有し、コンピュータ端末装置で変換を行った映像情報をディスプレイ装置に送出したり、あるいは変換された映像情報をコンピュータ端末装置で一旦記録するなどしてディスプレイ装置に送出したりする制御を行うようにした点に特徴があるものである。
まず、図１７に示す画像処理システム１７００は、画像を生成する装置であるとともに画像処理装置でもあるコンピュータ端末装置１７０１と、ディスプレイ装置（本図の例ではテレビジョン装置）１７０３とから構成されている。これらはインターフェイス１７０４で接続される。この場合、コンピュータ端末装置で生成した映像が生成者の意図どおり忠実に再現されて表示されるよう、画像処理装置である当該コンピュータ装置が映像情報の補正を行ってディスプレイ装置に送信する制御を行う。
【０１１９】
さらに、前出の図２に示したシステムにおける画像処理装置０２０１、０２１１、即ち自身は撮像機能を持たず他の装置で撮像された映像情報を変換・送信制御する装置としてコンピュータ端末装置を用いれば、例えば、コンピュータ装置がインターネットなどを介してコンピュータ端末装置が映画などの映像情報を受信する際に情報元であるサーバなどからその映像情報のリファレンスとなる正しい色度座標も合わせて取得することを前提として、当該コンピュータ端末装置が、ディスプレイ装置の再現特性に応じて忠実な色の映像が再現されるように映像情報を変換し、これを当該ディスプレイ装置に送信する制御を行うことができる。
以上のように、本実施例においても、画像処理装置であるコンピュータ端末装置は、自ら画像生成を行ってこれを補正・送信制御するものであってもよいし、他の撮像装置が生成した画像を受信して補正・送信制御するものであってもよいことになる。
【０１２０】
<構成>
（全般）
本実施例の画像処理装置の機能ブロックは、これまでの実施例において図３Ａ、図３Ｂなどで例示したものと同様であるため、図示を省略する。特に、再現特性取得部、保存部、送信部、映像情報保持部、制御部及び色度座標制御部については、具体的な構成に関してもこれまでの実施例において説明したのと同一の構成とすることで、これら各部の機能を発揮することが可能である。
ただし、変換部及び色度座標変換部については、再現特性を示す色度座標の違いなどに基づいて具体的な変換処理のしかたが異なる場合があり得る。そこで次に、かかる違いを生じる場合における変換のための具体的な構成の一例について説明する。ここでの変換にも、これまでの実施例と同様に、忠実な色の映像の再現のための変換と、複数のディスプレイ装置の間での統一された色の映像の再現のための変換と、輝度に歪みのない映像の再現のための変換とが含まれる。このうち、忠実な色の映像の再現のための変換と複数のディスプレイ装置の間での統一された色の映像の再現のための変換については、色度座標の変換の例で説明する。また、輝度に歪みのない映像の再現のための変換については、ガンマ特性の変換の例で説明する。
【０１２１】
（忠実な色の映像の再現のための変換）
本実施例の画像処理装置における色度座標の変換も、保存されている色度座標値データから送信部に接続されたディスプレイ装置に対応するものを選択してこれを利用し、映像情報を送信部に接続されたディスプレイ装置に対応した色度座標に変換するように構成される。この点は実施例１の画像処理装置の場合と同様である。
ただし、既述のようにコンピュータで画像を描く場合にはＨＳＢ色空間が用いられることが多い。従って、画像処理装置とディスプレイ装置の色度座標が対応する色空間の種類が異なり得ることとなる。そこでこのような場合には、本実施例の画像処理装置は、生成され保持されているＣＧの映像情報をディスプレイ装置の色度座標に変換する際に、例えばまずＨＳＢ色度座標からＲＧＢＷ色度座標への変換を行ってから、実施例１で説明したのと同様のＲＧＢＷ色度座標どうしの変換を行うこととなる。
ＨＳＢ色空間は、色相（Ｈｕｅ）、彩度（Ｓａｔｕｒａｔｉｏｎ）、明度（Ｂｒｉｇｈｔｎｅｓｓ）の三成分からなる。このうち「Ｈ」については一般に環状の領域に表現され、「Ｓ」及び「Ｂ」については一般に三角形の領域に表現される（なお、ＨＳＢ色空間は、ＨＳＶ色空間とも呼ばれる。）。
【０１２２】
図１８は、ＨＳＢ色区間における色領域の一例を示す図である。本図では「Ｈ」は外側の環状の領域１８０１において０〜３６０度の角座標で表現される。０度（３時方向）で最も赤みが強く、１２０度で最も緑みが強く、２４０度で最も青みが強くなる。
また本図において「Ｓ」は内側の三角形の領域１８０２において水平軸上に０〜１００％で表現される。０％に近いほど鮮やかさが減った色（灰色さが顕著な色）となり、１００％に近いほど鮮やかさが増した色となる。
さらに本図において「Ｂ」は内側の三角形の領域において垂直軸上に０〜１００％で表現される。０％に近いほど暗い色となり、１００％に近いほど明るい色となる。
【０１２３】
ＣＧの生成者がこのＨＳＢ色空間を用いてコンピュータで画像生成を行う場合には、通例、はじめに環状領域における角座標位置で「Ｈ」の値を選択し、次いで三角形の領域における水平軸上、垂直軸上の座標位置で「Ｓ」、「Ｂ」それぞれの値を選択する。このようにして、画像生成者がＨＳＢ色空間における特定の色を数値で一義的に表現することが可能となる。
【０１２４】
次に、例えば画像処理装置であるコンピュータ端末装置が、このようにして生成したＨＳＢ色度座標をディスプレイ装置の色度座標に変換することになるが、このときディスプレイ装置の色度座標がコンピュータ端末装置の色度座標と異なる種類の色空間に対応するものである場合、例えばディスプレイ装置の色度座標がＲＧＢ色空間に対応するといった場合には、まずＨＳＢ色度座標からＲＧＢＷ色度座標への変換が必要となる。また、撮像装置からコンピュータ端末装置を介してディスプレイ装置に映像情報を送信して表示する場合には、いったんＲＧＢＷ色度座標からＨＳＢ色度座標への変換が必要となることも考えられる。これらの場合、ＨＳＢ色度座標とＲＧＢＷ色度座標の相互変換により、忠実な色の映像がディスプレイ装置で再現されるように映像情報を変換することが可能である。
具体的には、例えば画像処理装置は、予めＨＳＢ色度座標からＲＧＢＷ色度座標への変換のためにＨＳＢ色度座標とＲＧＢＷ色度座標の相互変換のための変換式を定めたテーブル（ＨＳＢ・ＲＧＢＷ色度座標変換テーブル）を記憶しており、画像処理装置がこのテーブルに定められた変換式を用いて変換を行えばよい。
このようにしてＲＧＢＷ色度座標に変換された映像情報は、その後実施例１で説明したのと同様の処理手順によってディスプレイ装置の色度座標に変換される。即ち、例えば画像処理装置が撮像装置・ＲＧＢＷ色度座標関連付けテーブルを保有するとともに、保存されたディスプレイ装置の色度座標値データの中から選択されたディスプレイ装置のデータを読み出して、これらのテーブル、データに基づく処理を行えばよい。
以上の処理の結果、変換された映像情報をディスプレイ装置に送信するための制御を行って、ディスプレイ装置で忠実に再現することが可能となる。
【０１２５】
このＨＳＢ色度座標とＲＧＢＷ色度座標の相互変換は、例えば非特許文献２「Ｗｉｋｉｐｅｄｉａ  ＨＳＶ色空間」（ｈｔｔｐ：／／ｊａ．ｗｉｋｉｐｅｄｉａ．ｏｒｇ／ｗｉｋｉ／ＨＳＢ）に記載されている公知の数式を用いて行うことができる。
なお、以上ではＨＳＢ色空間とＲＧＢ色空間の間の色度座標の変換の場合で説明したが、他の色空間、例えばＹＣｂＣｒ色空間とＲＧＢ色空間との相互変換についても、同様に公知の数式を用いて相互変換を行うことが可能である。
【０１２６】
（統一された色の映像の再現のための変換）
本実施例の画像処理装置には、複数のディスプレイ装置の間で統一された色の映像が再現されるように構成されたものも含まれる。この場合「変換部」は、ＣＧをそれぞれのディスプレイ装置の再現特性情報を利用して変換する。このための構成は、実施例２で説明した変換部の構成と同じである。この場合、例えばＣＧを生成するコンピュータ端末装置の色度座標がＨＳＢ色度座標であれば、上述した変換方法を用いて変換を行えばよく、ディスプレイ装置の色度座標がコンピュータ端末装置と異なりＲＧＢ色度座標の場合には、やはり上述した変換方法を用いてＨＳＢからＲＧＢへの変換を行えばよい。また、複数のディスプレイ装置の中に、例えばＲＧＢ色度座標を用いるテレビジョン装置とＨＳＢ色度座標を用いるコンピュータ端末装置が混在している場合には、上の変換方法を組み合わせて変換を行えばよい。これにより、それぞれのディスプレイ装置の再現特性に応じた変換を行うことができ、この結果、これらディスプレイ装置間で統一された色の映像を再現することが可能となる。
このような画像処理装置により、例えば、複数のディスプレイ装置を用いた対戦型のコンピュータゲームのＣＧをこれら複数のディスプレイ装置間で統一された映像として表示することが可能となる。
【０１２７】
（輝度に歪みのない映像の再現のための変換）
本実施例の画像処理装置には、輝度に歪みのない映像が前記ディスプレイ装置で再現されるように構成されたものも含まれる。このための構成は、実施例３で説明した変換部の構成と同じである。
既述のように、輝度に関する再現特性を示すガンマ特性は、ディスプレイ装置の種類によって異なり、例えば、ディスプレイ装置がテレビジョン装置の場合、一般にガンマ特性（ガンマ値）は２．２であり、パソコンのモニター画面の場合は、一般にガンマ特性は１．８ないし２．５であるとされている。そこで、例えばパソコンのモニター画面に表示するために生成されたＣＧをテレビジョン装置にそのまま表示した場合には、輝度に歪みを生じることとなり、生成されたＣＧをテレビジョン装置に輝度に歪みのない映像として再現するために、変換部は、当該映像情報の補正（変換）を行う。具体的な補正のしかたは、実施例３で述べたところと同様であり、当該ディスプレイ装置のガンマ特性の逆数を補正係数として補正を行えばよい。
このような画像処理装置により、例えば、コンピュータゲームのＣＧを大画面テレビジョン装置などで輝度に歪みのない映像として再現することが可能となる。
【０１２８】
（ハードウェア構成）
次に、本実施例の画像処理装置のハードウェア構成について説明する。本実施例の画像処理装置のハードウェア構成自体は、実施例１などで既に説明した画像処理装置のハードウェア構成と同様である。また、こうしたハードウェア構成を用いて各プログラムが行う処理手順についても、例えば、コンピュータ端末装置でＨＳＢ色度座標を用いて生成したＣＧをディスプレイ装置である他のコンピュータ端末装置の再現特性を示すＨＳＢ色度座標に変換して送信する制御を行う処理の場合は、実施例１でＲＧＢＷ色度座標の例で説明した処理と同様の処理を行えばよい。
ただし、例えばコンピュータ端末装置の色度座標がＨＳＢ色空間に対応し、ディスプレイ装置の色度座標がＲＧＢ色空間に対応するといった場合のように、ＣＧの生成を行ったコンピュータ端末装置の色度座標とディスプレイ装置の色度座標が異なる種類の色空間に対応するものである場合には、これら異なる種類の色空間に対応する色度座標間での変換処理が必要となる。そこで、ここでは、画像処理装置がかかる異なる色度座標間の変換を行う場合のハードウェア構成と、当該ハードウェア構成を用いたプログラムの処理手順の一例について説明する。
【０１２９】
図１９は、本実施例の画像処理装置のハードウェア構成の一例を示す概略図である。ここでは、色度座標変換プログラムが異なる色度座標間の変換としてＨＳＢ色度座標からＲＧＢ色度座標への変換を含む処理を行う場合の例で説明する。
本実施例の画像処理装置のハードウェア構成自体は、図７に示した画像処理装置のハードウェア構成と同様である。また、こうしたハードウェア構成を用いて各プログラムが行う処理手順についても、ディスプレイ装置の色度座標度データの保存、映像情報の取得、ディスプレイ装置の接続及び変換された映像情報の送信制御にかかる処理手順は、処理対象である情報の内容が一部異なるだけで基本的に図７を用いて説明した処理手順と同様である。そこで、これらについては説明を省略し、ここでは色度座標変換プログラムが定める手順に従った変換処理の手順について説明する。
この場合、ＣＰＵは、当該プログラムの定める手順に従い、まずメインメモリに格納されているディスプレイ装置の色度座標値データから送信部に接続されたディスプレイ装置に対応するものを選択する。この選択処理は、実施例１で説明したところと同様に、例えば、接続されたディスプレイ装置の識別情報、接続されたディスプレイ装置の識別情報と色度座標値データとを関連付けたテーブルなどを利用して行われる。本例では、選択されたディスプレイ装置の色度座標値データはＲＧＢＷ色度座標で表現されたデータであるということになる。
【０１３０】
次に、ＣＰＵは、実施例１で説明した処理によって既にメインメモリに格納されている映像情報（図中「映像情報（ＲＧＢＷ変換前）」として示す。）の色度座標の変換を行う。本例では映像情報の色度座標はＨＳＢ色度座標であり、上記選択処理によって選択されたディスプレイ装置のＲＧＢＷ色度座標と比較して異なる色度座標であると判断されるため、これをＲＧＢＷ色度座標に変換する処理を行う。このため、例えば、記憶装置には予めＨＳＢ色度座標からＲＧＢＷ色度座標への変換のためにＨＳＢ・ＲＧＢＷ色度座標変換テーブルが記憶されており、ＣＰＵはこれをメインメモリに読み出し、当該テーブルに従って変換を行う。
このようにしてＲＧＢＷ色度座標に変換された映像情報（図中「映像情報（変換前）」として示す。）は、実施例１で説明したのと同様の処理手順によってさらにディスプレイ装置の色度座標に変換される。この処理は実施例１で説明した処理手順、即ち、撮像装置・ＲＧＢＷ色度座標関連付けテーブルと、選択されたディスプレイ装置の色度座標値データとに基づく処理を行えばよい。
【０１３１】
<処理の流れ>
本実施例の画像処理装置における処理の流れも、実施例１などで説明した処理の流れと基本的に共通する。ただし、既述のように、ＣＧの生成を行ったコンピュータ端末装置の色度座標とディスプレイ装置の色度座標が異なる種類の色空間に対応するものである場合には実施例１などで説明したのとは異なる処理の流れとなる。そこで、ここではかかる場合の処理の流れについて説明する。
【０１３２】
図２０は、本実施例の画像処理装置における処理の流れの一例を示す図であって、かかる異なる種類の色空間に対応する色度座標間の変換処理を含む場合の例を示す。なお、本実施例の画像処理装置はコンピュータ端末装置であり、ＨＳＢ色度座標を用いて生成しＣＧをディスプレイ装置の再現特性に応じて変換して送信制御を行う装置であるものとする。
本図に示す処理の流れのうち、ステップＳ２００１からステップＳ２００３までの処理の流れは、実施例１において図８に示したステップＳ０８０１からステップＳ０８０３までの処理の流れと同じであるので、説明を省略する。
次に、画像処理装置は、選択したディスプレイ装置の色度座標が映像情報の色度座標値データで用いられている色度座標と異なるか否かの判断ステップＳ２００４においてかかる判断を行い、異なるとの判断結果が得られた場合には、さらに、ディスプレイ装置の色度座標がＲＧＢ色度座標か否かの判断ステップＳ２００５においてかかる判断を行う。
この結果、ＲＧＢ色度座標であるとの判断結果が得られた場合には、画像処理装置は、映像情報のＨＳＢ色度座標をＲＧＢ色度座標に変換する処理を行う（ステップＳ２００６）。この変換は、例えば画像処理装置が予め保持するＨＳＢ・ＲＧＢＷ色度座標変換テーブルを用いて行うことが可能である。
このようにしてＲＧＢＷ色度座標に変換された映像情報は、以後実施例１で説明したのと同様の処理の流れに従って変換・送信制御される。即ち、本図のステップＳ２００７からステップＳ２００９までの処理の流れは、図８に示したステップＳ０８０４からステップＳ０８０６までの処理の流れと同様である。
【０１３３】
<効果>
本実施例の画像処理装置により、コンピュータが生成あるいは記録するコンピュタゲームの画像、映画、ＣＡＤ画像などを当該コンピュータと再現特性の異なるディスプレイ装置において忠実な色で再現することが可能となる。また、例えば、複数のディスプレイ装置を用いた対戦型のコンピュータゲームなどにおいて、これら複数のディスプレイ装置の間で統一された色の映像を再現することも可能となる。
【図面の簡単な説明】
【０１３４】
【図１Ａ】実施例１の画像処理装置を含む画像処理システムの概要を示す概念図
【図１Ｂ】実施例１の画像処理装置を含む画像処理システムの概要を示す概念図
【図１Ｃ】実施例１の画像処理装置を含む画像処理システムの概要を示す概念図
【図２】実施例１の画像処理装置を含む画像処理システムの概要を示す概念図
【図３Ａ】実施例１の画像処理装置の機能ブロックの一例を示す図
【図３Ｂ】実施例１の画像処理装置の機能ブロックの一例を示す図
【図４】ディスプレイ装置のＲＧＢＷ色度座標を示すｘｙ色度図の一例を示す図
【図５】色度座標値が既知である映像情報に係る色度座標値を示すｘｙ色度図の一例を示す図
【図６】既知の色度座標値を示すテーブルの一例及びディスプレイ装置に対    応した色度座標値データを表すテーブルの一例を示す図
【図７】実施例１の画像処理装置のハードウェア構成の一例を示す概略図
【図８】実施例１の画像処理装置における処理の流れの一例を示す図
【図９Ａ】実施例２の画像処理装置の機能ブロックの一例を示す図
【図９Ｂ】実施例２の画像処理装置の機能ブロックの一例を示す図
【図１０】実施例２の画像処理装置における処理の流れの一例を示す図
【図１１Ａ】実施例３の画像処理装置の機能ブロックの一例を示す図
【図１１Ｂ】実施例３の画像処理装置の機能ブロックの一例を示す図
【図１２】ガンマ特性を示す両対数目盛りグラフの一例を示す図
【図１３】実施例３の画像処理装置のハードウェア構成の一例を示す概略図
【図１４】実施例３の画像処理装置における処理の流れの一例を示す図
【図１５】実施例４の画像処理装置の機能ブロックの一例を示す図
【図１６】実施例４の画像処理装置における処理の流れの一例を示す図
【図１７】実施例５の画像処理装置を含む画像処理システムの概要を示す概念図
【図１８】ＨＳＢ色区間における色領域の一例を示す図
【図１９】実施例５の画像処理装置のハードウェア構成の一例を示す概略図
【図２０】実施例５の画像処理装置における処理の流れの一例を示す図
【符号の説明】
【０１３５】
０１００      画像処理システム
０１０１      画像処理装置
０１０２      撮像装置（ビデオカメラ）
０１０３      ディスプレイ装置（テレビジョン装置）画像処理装置
０１０４      インターフェイス
０１０５      被写体
０３００      画像処理装置
０３０１      送信部
０３０２      再現特性取得部
０３０３      変換部
０３０４      制御部
０３１０      保存部
０３２０      送信部
０３３０      映像情報保持部
０３４０      色度座標変換部
０３５０      色度座標制御部
１１００      画像処理装置
１１０１      送信部
１１０２      再現特性取得部
１１０３      変換部
１１０４      制御部
１１１０      ガンマデータ保存部
１１２０      送信部
１１３０      映像情報保持部
１１４０      ガンマ変換部
１１５０      ガンマ制御部
【図１Ａ】
2008295034.tif 000006
【図１Ｂ】
2008295034.tif 000007
【図１Ｃ】
2008295034.tif 000008
【図２】
2008295034.tif 000009
【図３Ａ】
2008295034.tif 000010
【図３Ｂ】
2008295034.tif 000011
【図４】
2008295034.tif 000012
【図５】
2008295034.tif 000013
【図６】
2008295034.tif 000014
【図７】
2008295034.tif 000015
【図８】
2008295034.tif 000016
【図９Ａ】
2008295034.tif 000017
【図９Ｂ】
2008295034.tif 000018
【図１０】
2008295034.tif 000019
【図１１Ａ】
2008295034.tif 000020
【図１１Ｂ】
2008295034.tif 000021
【図１２】
2008295034.tif 000022
【図１３】
2008295034.tif 000023
【図１４】
2008295034.tif 000024
【図１５】
2008295034.tif 000025
【図１６】
2008295034.tif 000026
【図１７】
2008295034.tif 000027
【図１８】
2008295034.tif 000028
【図１９】
2008295034.tif 000029
【図２０】
2008295034.tif 000030